(57)【要約】  高移植性ウェブウィジェットを使用してコンピュータ通信ネットワーク上でマルチメディアコンテンツを配信するためのシステムおよび方法であって、ウェブウィジェットは、バイラル配信およびクライアントデバイス上のウェブブラウザでの実行に適合され、クライアントデバイスは、プロセッサとメモリとを有し、ウェブウィジェットは、少なくともアクティブ動作モードおよび非アクティブ動作モードを有する、システムおよび方法。ウェブウィジェットは、コンピュータ通信ネットワーク上でアプリケーションサーバと通信可能に結合されたコンテンツ回収コンポーネントであって、ウェブウィジェットがアクティブ動作モードに入った後に、ストレージリソースからクライアントデバイスのメモリに、マルチメディアコンテンツファイルおよび関連メタデータを回収するよう構成された、コンテンツ回収コンポーネントと、回収されたマルチメディアコンテンツファイルの一部分を実行するようクライアントデバイスプロセッサによって構成されたコンテンツプレビューコンポーネントと、マルチメディアコンテンツファイルに関連する商取引に着手するよう作動可能なトランザクション処理コンポーネントとを含む。【選択図】図８
2013540298.tif 000002
【特許請求の範囲】
【請求項１】
コンピュータ通信ネットワーク上でマルチメディアコンテンツを配信するための高移植性ウェブウィジェットであって、バイラル配信およびクライアントデバイス上のウェブブラウザでの実行に適合され、前記クライアントデバイスは、プロセッサとメモリとを有する高移植性ウェブウィジェットにおいて、
アクティブモードおよび非アクティブモードである少なくとも２つの動作モードと、
前記コンピュータ通信ネットワーク上でアプリケーションサーバと通信可能に結合されたコンテンツ検索コンポーネントであって、前記アプリケーションサーバからアクセス可能であり、前記ウェブウィジェットが前記アクティブ動作モードに入った後に前記ウェブウィジェットと関連付けられる複数のマルチメディアコンテンツファイルを検索するよう構成された、コンテンツ検索コンポーネントと、
前記コンピュータ通信ネットワーク上で前記アプリケーションサーバと通信可能に結合されたコンテンツ回収コンポーネントであって、ストレージリソースから前記クライアントデバイスの前記メモリに、前記複数のマルチメディアコンテンツファイルから選択された１つまたは複数のマルチメディアコンテンツファイルおよび関連メタデータを回収するよう構成された、コンテンツ回収コンポーネントと、
前記回収された１つまたは複数のマルチメディアコンテンツファイルのそれぞれの一部分を実行するよう前記プロセッサによって構成されたコンテンツプレビューコンポーネントと、
前記複数のマルチメディアコンテンツファイルに関連する商取引に着手するよう作動可能なトランザクション処理コンポーネントと
を備えることを特徴とするウェブウィジェット。
【請求項２】
請求項１に記載のウェブウィジェットにおいて、前記コンピュータ通信ネットワークは、インターネットであることを特徴とするウェブウィジェット。
【請求項３】
請求項１に記載のウェブウィジェットにおいて、前記コンピュータ通信ネットワークは、モバイル通信ネットワークであることを特徴とするウェブウィジェット。
【請求項４】
請求項１に記載のウェブウィジェットにおいて、前記コンピュータ通信ネットワークは、イントラネットであることを特徴とするウェブウィジェット。
【請求項５】
請求項１に記載のウェブウィジェットにおいて、前記ウェブブラウザは、インターネットブラウザであることを特徴とするウェブウィジェット。
【請求項６】
請求項１に記載のウェブウィジェットにおいて、前記ウェブブラウザは、モバイルデバイスブラウザであることを特徴とするウェブウィジェット。
【請求項７】
請求項５に記載のウェブウィジェットにおいて、前記インターネットブラウザは、Ｉｎｔｅｒｎｅｔ  Ｅｘｐｌｏｒｅｒブラウザ、Ｆｉｒｅｆｏｘブラウザ、Ｇｏｏｇｌｅ  Ｃｈｒｏｍｅブラウザ、ＳａｆａｒｉブラウザおよびＯｐｅｒａブラウザの少なくとも１つであることを特徴とするウェブウィジェット。
【請求項８】
請求項６に記載のウェブウィジェットにおいて、前記モバイルデバイスブラウザは、モバイル用のＭｉｃｒｏｓｏｆｔ  ＩＥブラウザ、Ｇｏｏｇｌｅ  Ａｎｄｒｏｉｄブラウザ、Ｂｏｌｔブラウザ、Ｔｅａｓｈａｒｋブラウザ、ＳａｆａｒｉブラウザおよびＯｐｅｒａ  Ｍｉｎｉブラウザの少なくとも１つであることを特徴とするウェブウィジェット。
【請求項９】
請求項１に記載のウェブウィジェットにおいて、前記クライアントデバイスは、デスクトップコンピュータ、ラップトップコンピュータおよび携帯情報端末の少なくとも１つであることを特徴とするウェブウィジェット。
【請求項１０】
請求項１に記載のウェブウィジェットにおいて、前記マルチメディアコンテンツファイルのそれぞれは、音楽のリリースの音楽セレクションであることを特徴とするウェブウィジェット。
【請求項１１】
請求項１に記載のウェブウィジェットにおいて、前記マルチメディアコンテンツファイルのそれぞれは、音楽カタログの音楽セレクションであることを特徴とするウェブウィジェット。
【請求項１２】
請求項１０に記載のウェブウィジェットにおいて、前記１つまたは複数の回収されたマルチメディアコンテンツファイルに関連する前記メタデータは、各音楽セレクションのタイトル、アーティスト名および音楽リリース名の少なくとも１つを含むことを特徴とするウェブウィジェット。
【請求項１３】
請求項１１に記載のウェブウィジェットにおいて、前記１つまたは複数の回収されたマルチメディアコンテンツファイルに関連する前記メタデータは、各音楽セレクションのタイトル、アーティスト名および音楽カタログ名の少なくとも１つを含むことを特徴とするウェブウィジェット。
【請求項１４】
請求項１に記載のウェブウィジェットにおいて、前記商取引は、前記マルチメディアコンテンツファイルが音楽リリースおよび音楽カタログの１つの中の複数の音楽セレクションを含む場合は、知的財産ライセンスであることを特徴とするウェブウィジェット。
【請求項１５】
請求項１に記載のウェブウィジェットにおいて、前記マルチメディアコンテンツファイルは、物理的商品の１つまたは複数の識別子をさらに含み、前記商取引は、前記物理的商品の前記１つまたは複数の識別子に関連する前記物理的商品の１つまたは複数の購入トランザクションであることを特徴とするウェブウィジェット。
【請求項１６】
請求項１に記載のウェブウィジェットにおいて、前記トランザクション処理コンポーネントは、公共のトランザクション処理サービスを使用して商取引に着手するよう作動可能であることを特徴とするウェブウィジェット。
【請求項１７】
請求項１に記載のウェブウィジェットにおいて、前記トランザクション処理コンポーネントは、独自のトランザクション処理サービスを使用して商取引に着手するよう作動可能であることを特徴とするウェブウィジェット。
【請求項１８】
請求項１６に記載のウェブウィジェットにおいて、前記公共のトランザクション処理サービスは、Ａｍａｚｏｎ  Ｆｌｅｘｉｂｌｅ  Ｐａｙｍｅｎｔｓ  Ｓｅｒｖｉｃｅであることを特徴とするウェブウィジェット。
【請求項１９】
請求項１６に記載のウェブウィジェットにおいて、前記公共のトランザクション処理サービスは、Ｇｏｏｇｌｅ  Ｃｈｅｃｋｏｕｔ  Ｓｅｒｖｉｃｅであることを特徴とするウェブウィジェット。
【請求項２０】
請求項１６に記載のウェブウィジェットにおいて、前記公共のトランザクション処理サービスは、ＰａｙＰａｌ  Ｓｅｒｖｉｃｅであることを特徴とするウェブウィジェット。
【請求項２１】
コンピュータ通信ネットワーク上でマルチメディアコンテンツを配信するための高移植性ウェブウィジェットであって、バイラル配信およびクライアントデバイス上のウェブブラウザでの実行に適合され、前記クライアントデバイスは、プロセッサとメモリとを有する高移植性ウェブウィジェットにおいて、
アクティブモードおよび非アクティブモードである少なくとも２つの動作モードと、
前記コンピュータ通信ネットワーク上でアプリケーションサーバと通信可能に結合されたコンテンツ回収コンポーネントであって、前記ウェブウィジェットが前記アクティブ動作モードに入った後に、ストレージリソースから前記クライアントデバイスの前記メモリに、マルチメディアコンテンツファイルおよび関連メタデータを回収するよう構成された、コンテンツ回収コンポーネントと、
前記回収されたマルチメディアコンテンツファイルの一部分を実行するよう前記プロセッサによって構成されたコンテンツプレビューコンポーネントと、
前記マルチメディアコンテンツファイルに関連する商取引に着手するよう作動可能なトランザクション処理コンポーネントと
を備えることを特徴とするウェブウィジェット。
【請求項２２】
請求項２１に記載のウェブウィジェットにおいて、前記コンピュータ通信ネットワークは、インターネットであることを特徴とするウェブウィジェット。
【請求項２３】
請求項２１に記載のウェブウィジェットにおいて、前記コンピュータ通信ネットワークは、モバイル通信ネットワークであることを特徴とするウェブウィジェット。
【請求項２４】
請求項２１に記載のウェブウィジェットにおいて、前記コンピュータ通信ネットワークは、イントラネットであることを特徴とするウェブウィジェット。
【請求項２５】
請求項２１に記載のウェブウィジェットにおいて、前記ウェブブラウザは、インターネットブラウザであることを特徴とするウェブウィジェット。
【請求項２６】
請求項２１に記載のウェブウィジェットにおいて、前記ウェブブラウザは、モバイルデバイスブラウザであることを特徴とするウェブウィジェット。
【請求項２７】
請求項２５に記載のウェブウィジェットにおいて、前記インターネットブラウザは、Ｉｎｔｅｒｎｅｔ  Ｅｘｐｌｏｒｅｒブラウザ、Ｆｉｒｅｆｏｘブラウザ、Ｇｏｏｇｌｅ  Ｃｈｒｏｍｅブラウザ、ＳａｆａｒｉブラウザおよびＯｐｅｒａブラウザの少なくとも１つであることを特徴とするウェブウィジェット。
【請求項２８】
請求項２６に記載のウェブウィジェットにおいて、前記モバイルデバイスブラウザは、モバイル用のＭｉｃｒｏｓｏｆｔ  ＩＥブラウザ、Ｇｏｏｇｌｅ  Ａｎｄｒｏｉｄブラウザ、Ｂｏｌｔブラウザ、Ｔｅａｓｈａｒｋブラウザ、ＳａｆａｒｉブラウザおよびＯｐｅｒａ  Ｍｉｎｉブラウザの少なくとも１つであることを特徴とするウェブウィジェット。
【請求項２９】
請求項２１に記載のウェブウィジェットにおいて、前記クライアントデバイスは、デスクトップコンピュータ、ラップトップコンピュータおよび携帯情報端末の少なくとも１つであることを特徴とするウェブウィジェット。
【請求項３０】
請求項２１に記載のウェブウィジェットにおいて、前記マルチメディアコンテンツファイルのそれぞれは、音楽のリリースの音楽セレクションであることを特徴とするウェブウィジェット。
【請求項３１】
請求項２１に記載のウェブウィジェットにおいて、前記マルチメディアコンテンツファイルのそれぞれは、音楽カタログの音楽セレクションであることを特徴とするウェブウィジェット。
【請求項３２】
請求項３０に記載のウェブウィジェットにおいて、前記１つまたは複数の回収されたマルチメディアコンテンツファイルに関連する前記メタデータは、各音楽セレクションのタイトル、アーティスト名および音楽リリース名の少なくとも１つを含むことを特徴とするウェブウィジェット。
【請求項３３】
請求項３１に記載のウェブウィジェットにおいて、前記１つまたは複数の回収されたマルチメディアコンテンツファイルに関連する前記メタデータは、各音楽セレクションのタイトル、アーティスト名および音楽カタログ名の少なくとも１つを含むことを特徴とするウェブウィジェット。
【請求項３４】
請求項２１に記載のウェブウィジェットにおいて、前記商取引は、前記マルチメディアコンテンツファイルが音楽リリースおよび音楽カタログの１つの中の複数の音楽セレクションを含む場合は、知的財産ライセンスであることを特徴とするウェブウィジェット。
【請求項３５】
請求項２１に記載のウェブウィジェットにおいて、前記マルチメディアコンテンツファイルは、物理的商品の１つまたは複数の識別子をさらに含み、前記商取引は、前記物理的商品の前記１つまたは複数の識別子に関連する前記物理的商品の１つまたは複数の購入トランザクションであることを特徴とするウェブウィジェット。
【請求項３６】
請求項２１に記載のウェブウィジェットにおいて、前記トランザクション処理コンポーネントは、公共のトランザクション処理サービスを使用して商取引に着手するよう作動可能であることを特徴とするウェブウィジェット。
【請求項３７】
請求項２１に記載のウェブウィジェットにおいて、前記トランザクション処理コンポーネントは、独自のトランザクション処理サービスを使用して商取引に着手するよう作動可能であることを特徴とするウェブウィジェット。
【請求項３８】
請求項３６に記載のウェブウィジェットにおいて、前記公共のトランザクション処理サービスは、Ａｍａｚｏｎ  Ｆｌｅｘｉｂｌｅ  Ｐａｙｍｅｎｔｓ  Ｓｅｒｖｉｃｅであることを特徴とするウェブウィジェット。
【請求項３９】
請求項３６に記載のウェブウィジェットにおいて、前記公共のトランザクション処理サービスは、Ｇｏｏｇｌｅ  Ｃｈｅｃｋｏｕｔ  Ｓｅｒｖｉｃｅであることを特徴とするウェブウィジェット。
【請求項４０】
請求項３６に記載のウェブウィジェットにおいて、前記公共のトランザクション処理サービスは、ＰａｙＰａｌ  Ｓｅｒｖｉｃｅであることを特徴とするウェブウィジェット。
【請求項４１】
コンピュータ通信ネットワーク上でマルチメディアコンテンツを配信するための方法において、
ウェブブラウザで実行するためのウェブウィジェットを生成するステップであって、前記ウェブウィジェットは、１つまたは複数のマルチメディアコンテンツファイルに関連し、前記１つまたは複数の関連マルチメディアコンテンツファイルのそれぞれは、関連メタデータを有する、ステップと、
１つまたは複数のウェブブラウザに前記ウェブウィジェットを配信するステップであって、各ウェブブラウザは、プロセッサとメモリとを有するクライアントデバイス上で実行し、前記ウェブウィジェットは、マルチメディアコンテンツ配信システムのウェブサーバから配信される、ステップと、
前記１つまたは複数のウェブブラウザで前記ウェブウィジェットの起動後に、前記１つまたは複数のウェブブラウザで前記ウェブウィジェットを実行するステップと、
前記ウェブウィジェットを実行する前記１つまたは複数のウェブブラウザから前記ウェブサーバが選択要求を受信すると同時に、前記クライアントデバイスに前記１つまたは複数の関連マルチメディアコンテンツファイルおよび前記関連メタデータを送達するステップと、
前記１つまたは複数のウェブブラウザから前記選択要求を受信した後、前記マルチメディアコンテンツファイルの１つまたは複数に関連する商取引に着手するステップと
を含むことを特徴とする方法。
【請求項４２】
請求項４１に記載の方法において、前記コンピュータ通信ネットワークは、インターネットであることを特徴とする方法。
【請求項４３】
請求項４１に記載のウェブウィジェットにおいて、前記コンピュータ通信ネットワークは、モバイル通信ネットワークであることを特徴とするウェブウィジェット。
【請求項４４】
請求項４１に記載のウェブウィジェットにおいて、前記コンピュータ通信ネットワークは、イントラネットであることを特徴とするウェブウィジェット。
【請求項４５】
請求項４１に記載のウェブウィジェットにおいて、前記ウェブブラウザは、インターネットブラウザであることを特徴とするウェブウィジェット。
【請求項４６】
請求項４１に記載のウェブウィジェットにおいて、前記ウェブブラウザは、モバイルデバイスブラウザであることを特徴とするウェブウィジェット。
【請求項４７】
請求項４５に記載のウェブウィジェットにおいて、前記インターネットブラウザは、Ｉｎｔｅｒｎｅｔ  Ｅｘｐｌｏｒｅｒブラウザ、Ｆｉｒｅｆｏｘブラウザ、Ｇｏｏｇｌｅ  Ｃｈｒｏｍｅブラウザ、ＳａｆａｒｉブラウザおよびＯｐｅｒａブラウザの少なくとも１つであることを特徴とするウェブウィジェット。
【請求項４８】
請求項４６に記載のウェブウィジェットにおいて、前記モバイルデバイスブラウザは、モバイル用のＭｉｃｒｏｓｏｆｔ  ＩＥブラウザ、Ｇｏｏｇｌｅ  Ａｎｄｒｏｉｄブラウザ、Ｂｏｌｔブラウザ、Ｔｅａｓｈａｒｋブラウザ、ＳａｆａｒｉブラウザおよびＯｐｅｒａ  Ｍｉｎｉブラウザの少なくとも１つであることを特徴とするウェブウィジェット。
【請求項４９】
請求項４１に記載のウェブウィジェットにおいて、前記クライアントデバイスは、デスクトップコンピュータ、ラップトップコンピュータおよび携帯情報端末の少なくとも１つであることを特徴とするウェブウィジェット。
【請求項５０】
請求項４１に記載のウェブウィジェットにおいて、前記マルチメディアコンテンツファイルのそれぞれは、音楽のリリースの音楽セレクションであることを特徴とするウェブウィジェット。
【請求項５１】
請求項４１に記載のウェブウィジェットにおいて、前記マルチメディアコンテンツファイルのそれぞれは、音楽カタログの音楽セレクションであることを特徴とするウェブウィジェット。
【請求項５２】
請求項５０に記載のウェブウィジェットにおいて、前記関連するメタデータは、各音楽セレクションのタイトル、アーティスト名および音楽リリース名の少なくとも１つを含むことを特徴とするウェブウィジェット。
【請求項５３】
請求項５１に記載のウェブウィジェットにおいて、前記関連する前記メタデータは、各音楽セレクションのタイトル、アーティスト名および音楽カタログ名の少なくとも１つを含むことを特徴とするウェブウィジェット。
【請求項５４】
請求項４１に記載のウェブウィジェットにおいて、前記商取引は、前記マルチメディアコンテンツファイルが音楽リリースおよび音楽カタログの１つの中の複数の音楽セレクションを含む場合は、知的財産ライセンスであることを特徴とするウェブウィジェット。
【請求項５５】
請求項４１に記載のウェブウィジェットにおいて、前記マルチメディアコンテンツファイルは、物理的商品の１つまたは複数の識別子をさらに含み、前記商取引は、前記物理的商品の前記１つまたは複数の識別子に関連する前記物理的商品の１つまたは複数の購入トランザクションであることを特徴とするウェブウィジェット。
【請求項５６】
請求項４１に記載のウェブウィジェットにおいて、前記商取引に着手するステップは、公共のトランザクション処理サービスを使用することを特徴とするウェブウィジェット。
【請求項５７】
請求項４１に記載のウェブウィジェットにおいて、前記商取引に着手するステップは、独自のトランザクション処理サービスを使用することを特徴とするウェブウィジェット。
【請求項５８】
請求項５６に記載のウェブウィジェットにおいて、前記公共のトランザクション処理サービスは、Ａｍａｚｏｎ  Ｆｌｅｘｉｂｌｅ  Ｐａｙｍｅｎｔｓ  Ｓｅｒｖｉｃｅであることを特徴とするウェブウィジェット。
【請求項５９】
請求項５６に記載のウェブウィジェットにおいて、前記公共のトランザクション処理サービスは、Ｇｏｏｇｌｅ  Ｃｈｅｃｋｏｕｔ  Ｓｅｒｖｉｃｅであることを特徴とするウェブウィジェット。
【請求項６０】
請求項５６に記載のウェブウィジェットにおいて、前記公共のトランザクション処理サービスは、ＰａｙＰａｌ  Ｓｅｒｖｉｃｅであることを特徴とするウェブウィジェット。
【請求項６１】
請求項１に記載のウェブウィジェットにおいて、前記部分は、前記回収された１つまたは複数のマルチメディアコンテンツファイルのそれぞれからの音楽セレクションの３０秒間の音声クリップであることを特徴とするウェブウィジェット。
【請求項６２】
請求項１に記載のウェブウィジェットにおいて、前記部分は、前記回収された１つまたは複数のマルチメディアコンテンツファイルのそれぞれの３０秒間の音声・映像クリップであることを特徴とするウェブウィジェット。
【請求項６３】
請求項２１に記載のウェブウィジェットにおいて、前記回収されたマルチメディアコンテンツファイルは、音楽セレクションであり、前記部分は、前記音楽セレクションの３０秒間の音声クリップであることを特徴とするウェブウィジェット。
【請求項６４】
請求項２１に記載のウェブウィジェットにおいて、前記部分は、前記回収されたマルチメディアコンテンツファイルの３０秒間の音声・映像クリップであることを特徴とするウェブウィジェット。
【請求項６５】
請求項１に記載のウェブウィジェットにおいて、前記トランザクション処理コンポーネントは、前記複数のマルチメディアコンテンツファイルに関連する前記商取引を完了するよう作動可能であり、前記トランザクション処理コンポーネントは、前記クライアントデバイスと通信可能に結合されたコンピュータマウスのシングルクリック、前記クライアントデバイス上のキーを押すこと、および、前記クライアントデバイス上に設けられるタッチパッド上のジェスチャの少なくとも１つから生成される情報信号を受信後、前記商取引を完了するよう作動可能であることを特徴とするウェブウィジェット。
【請求項６６】
請求項２１に記載のウェブウィジェットにおいて、前記トランザクション処理コンポーネントは、前記マルチメディアコンテンツファイルに関連する前記商取引を完了するよう作動可能であり、前記トランザクション処理コンポーネントは、前記クライアントデバイスと通信可能に結合されたコンピュータマウスのシングルクリック、前記クライアントデバイス上のキーを押すこと、および、前記クライアントデバイス上に設けられるタッチパッド上のジェスチャの少なくとも１つから生成される情報信号を受信後、前記商取引を完了するよう作動可能であることを特徴とするウェブウィジェット。
【発明の詳細な説明】
【技術分野】
【０００１】
本開示は、概して、電子商取引の分野に関し、具体的には、これらに限定されないが、コンテンツ保有者とコンテンツ配信業者と消費者の間のマルチメディアコンテンツの配信およびトランザクションの成就のためのシステムおよび方法に関する。
【背景技術】
【０００２】
インターネット上での電子商取引は当たり前の存在となった。インターネット上でウェブサイトを通じて商品およびサービスを提供する商人は多く、さまざまなインターネットウェブサイトで商品およびサービスを購入する消費者が増えている。多くの場合、電子商取引トランザクションは、電子的コンテンツおよび物理的商品に関与する。例えば、多くの消費者は、インターネットを通じて、本、コンパクトディスク（ＣＤ）およびデジタルビデオディスク（ＤＶＤ）などのアイテムを購入する。しかし、ますます多くの消費者が、インターネットを使用して、情報製品、音楽などの電子的コンテンツを購入するか、または、ニュースもしくはエンターテインメント報道を提供するウェブサイトにアクセスしつつある。
【０００３】
最近では、インターネットは、異なる個人およびオンラインコミュニティの二者の間および三者以上の間での多種多様のソーシャルネットワーキングへの参加に使用されている。そのような個人およびオンラインコミュニティに対してそれらの商品およびサービスを販売促進するためにビジネスで使用する場合、この形態のネットワーキングは「ソーシャルメディアマーケティング」と呼ばれる。これらのオンラインでの社会的関係の多くでは、ユーザは、同様の関心、趣味および／またはバックグラウンドを有する他のユーザが使用および消費するための推奨コンテンツを共有および識別する。現在高度な社会的な媒体としてのインターネットの使用を可能にするのは、推奨および紹介されたコンテンツを共有するまたは「バイラル配信する」このユニークな能力である。その上、現在、パフォーミングアーティスト、ビジュアルアーティストおよび映画プロデューサなどのコンテンツ促進者ならびにコンテンツ配信会社は、この「バイラル」配信能力を有利に使用して、コンテンツ作成者の現時点における顧客リストのみに限定された配信能力を用いて以前に可能であり得た数よりはるかに大多数の潜在顧客およびパートナーに流布できる創造的な作品を創作することができる。
【０００４】
コンテンツのバイラル配信を達成するための現行方法は、電子メールの使用に焦点を置く。しかし、より迅速かつ魅力的にコンテンツを配信する強化された能力のための機会およびその必要性が存在する。機能限定アプリケーションの配信に使用される１つの現行手法は、「ウェブウィジェット」を含む。ウェブウィジェットは、追加のコンパイレーションを必要としないエンドユーザが、インストールして、ハイパーテキストマークアップ言語ウェブページ内で実行することができる高移植性ソフトウェアである。最も一般的に使用されるウェブウィジェットは、ユーザがパーソナルコンテンツを事実上いかなるウェブサイト上でも共有できる動的ウェブアプリケーションに変えることが可能な個別の機能限定アプリケーションである。現在のウェブウィジェットは、画面上のツールとしてのある個別のアプリケーションの実行に限定される。例えば、ウェブウィジェットは、現在、画面上の時計、イベントカウントダウン、オークションティッカー、株式市場ティッカー、毎日の天気予報およびフライト到着情報の表示に使用される。
【０００５】
これらのタイプのアプリケーションにおけるそれらの有用な役割にもかかわらず、現在のウェブウィジェットは、自己完結型の電子商取引プラットホームとして使用されない。しかし、コンテンツ保有者が、マルチメディアコンテンツのバイラル配信をより効果的に使用したり、ソーシャルメディアマーケティングの傾向を利用したりして、インターネット上ならびに数が急増しているモバイルネットワークおよび関連モバイルデバイス上でのウェブウィジェットからの現在および潜在顧客との直接の購入トランザクションおよび他の形態の電子商取引に参加することが可能になる強化された能力を有するウェブウィジェットに対する必要性が急増している。
【０００６】
非限定的かつ非包括的な実施形態を以下の図面を参照して説明する。図面では、他に特に規定がなければ、同一の参照番号は、異なる図を通して同一の部品と見なす。
【図面の簡単な説明】
【０００７】
【図１Ａ】図１Ａは、マルチメディアコンテンツ配信システムのための動作環境を示すブロック図である。
【図１Ｂ】図１Ｂは、マルチメディアコンテンツ配信システムのための代替の動作環境を示すブロック図である。
【図２】図２は、ある実施形態によるマルチメディアコンテンツ配信システムのソフトウェアコンポーネントを示すブロック図である。
【図３】図３は、ある実施形態によるマルチメディアコンテンツ配信システムで使用されるウィジェットビルダリソースコンポーネントを示すブロック図である。
【図４】図４は、ある実施形態によるマルチメディアコンテンツ配信システムで使用されるコンテンツ管理コンポーネントを示すブロック図である。
【図５】図５は、ある実施形態によるマルチメディアコンテンツ配信システムで使用される市場管理コンポーネントを示すブロック図である。
【図６】図６は、ある実施形態によるマルチメディアコンテンツ配信システムで使用されるマルチメディアコンテンツをアップロードして変換するための方法を示すフローチャートである。
【図７】図７Ａは、ある実施形態によるマルチメディアコンテンツ配信システムでマルチメディアコンテンツの市場向けコンパイレーションを作成するための方法を示すフローチャートである。図７Ｂは、ある実施形態によるマルチメディアコンテンツ配信システムでコンテンツ在庫表を更新するための方法を示すフローチャートである。
【図８】図８は、ある実施形態によるウェブウィジェットを使用してマルチメディアコンテンツを配信するための方法を示すフローチャートである。
【図９】図９は、ある実施形態によるマルチメディアコンテンツの配信のためのウェブウィジェットを示すブロック図である。
【図１０】図１０は、ある実施形態による音楽一曲の配信のためのアクティブなウェブウィジェットを示すブロック図である。
【図１１】図１１は、ある実施形態による音楽数曲のコンパイレーションを含む音楽アルバムの配信のためのアクティブなウェブウィジェットを示すブロック図である。
【図１２】図１２は、ある実施形態による購入要求を受信するよう作動可能なアクティブなウェブウィジェットを示すブロック図である。
【図１３】図１３は、ある実施形態によるアクティブなウェブウィジェットにおける購入要求確認を示すブロック図である。
【図１４】図１４は、ある実施形態によるアクティブなウェブウィジェットからトランザクション処理サービスへのユーザアクセスを示すブロック図である。
【図１５】図１５は、ある実施形態によるウェブウィジェットへのアクセスを提供するバイラル配信のためのグラフィカルなボタンを示すブロック図である。
【発明を実施するための形態】
【０００８】
以下の説明では、ウェブウィジェットならびにその能力をサポートして電子商取引トランザクションを実行するコンピューティングおよび通信システムの実施形態のさまざまな態様を説明し、特定の構成を記載する。多くの特定の詳細を提供して、これらの実施形態の理解をもたらす。本明細書に開示される態様は、特定の詳細の１つまたは複数がなくとも、他の方法、コンポーネント、システム、サービスなどを用いても実施することができる。他の例では、関連する発明の態様を曖昧にすることを回避するため、構造または動作を詳細に示すことも説明することもしない。
【０００９】
本明細書を通して、「一実施形態（ｏｎｅ  ｅｍｂｏｄｉｍｅｎｔ）」または「ある実施形態（ａｎ  ｅｍｂｏｄｉｍｅｎｔ）」への言及は、その実施形態に関連して説明される特定の特徴、構造または特性が少なくとも１つの実施形態に含まれていることを意味する。したがって、本明細書を通してさまざまな所での句「一実施形態では（ｉｎ  ｏｎｅ  ｅｍｂｏｄｉｍｅｎｔ）」または「ある実施形態では（ｉｎ  ａｎ  ｅｍｂｏｄｉｍｅｎｔ）」の登場は、必ずしもすべてが同じ実施形態を言及するとは限らない。その上、特定の特徴、構造または特性は、１つまたは複数の実施形態において任意の適切な方法で組み合わせることができる。
【００１０】
図１Ａは、ある実施形態によるマルチメディアコンテンツ配信システムのための動作環境の図である。この動作環境１００では、１つまたは複数のコンテンツ配信業者クライアントデバイス１２８、１つまたは複数のコンテンツ保有者クライアントデバイス１２６、および、１つまたは複数の消費者クライアントデバイス１３０、１３２、１３４が示されている。消費者クライアントデバイスの範囲の中でマルチメディアコンテンツ配信システムからマルチメディアコンテンツの配信に使用されるものは、ラップトップコンピュータ１３０、デスクトップコンピュータ１３２、および、携帯情報端末（すなわち、ＰＤＡ）などのさまざまなタイプのモバイルコンピューティングデバイス１３４である。本明細書で使用される場合、用語「携帯情報端末」は、音声通話機能付きＰＤＡ（すなわち、スマートフォン）と音声通話機能なしのＰＤＡの両方を意味する。これらのクライアントデバイスのそれぞれは、ネットワーク１０２と通信可能に結合され、ネットワーク１０２は、ファイアウォールソフトウェアを実行するサーバ１０４を通じてアプリケーションサーバ１０６への安全なコンピューティングおよび通信アクセスを提供し、アプリケーションサーバ１０６は、この実施形態では、集中演算処理およびトランザクション管理リソースとして機能する。示される実施形態では、ネットワーク１０２はインターネットである。しかし、他の実施形態では、ネットワーク１０２は、コンピュータデバイス、モバイルデバイス、マルチメディアコンテンツ配信システム、格納およびトランザクション処理のためのそのインフラリソースの二者の間および三者以上の間で通信を可能にすることができるプライベートコンピュータ通信ネットワーク、無線通信ネットワークまたは他のコンピュータデータ通信ネットワークであり得る。
【００１１】
アプリケーションサーバ１０６は、データベースサーバ１１０、トランザクション処理サービス１１２、Ｅメールサーバ１０８およびファイル管理サーバ１１４と通信可能に結合される。ファイル管理サーバは、クラウドベースのストレージリソース１２４に格納されたファイルのためのファイルウイルススキャン１１６、ファイルトランスコーディング１１６およびファイル圧縮１２０を実行する１つまたは複数のコンピューティングリソースと通信可能に結合される。ある実施形態では、データベースサーバ１１０は、クラウドベースのストレージリソース１２４に格納されるすべてのコンテンツファイルおよび関連メタデータのルックアップテーブルを維持するために使用される。ファイル管理サーバ１１４は、受信ファイルの第１の形式から１つまたは複数のトランスコード形式へのファイル変換プロセスを制御するために使用される。ある実施形態では、次いで、トランスコードファイルの選択サブセットは、ファイル圧縮１２０を使用して単一のファイルに圧縮され、次いで、各ファイルに対する関連メタデータとともにクラウドベースのストレージリソース１２４に格納される。一実施形態では、ファイルは、クラウドベースのストレージリソース１２４に格納するためＷｉｎＺｉｐファイルに圧縮される。ある実施形態では、Ｅメールサーバ１０８は、コンテンツ保有者およびコンテンツ配信業者の二者の間および三者以上の間での電子メール通信、ならびに、消費者および潜在顧客のグループへのＥメール送信を容易にするために使用される。マルチメディアコンテンツ配信システムでのリソースの使用の管理におけるその役割に加えて、アプリケーションサーバ１０６は、ユーザアカウントプロフィールの作成、１つまたは複数のウェブサーバの実行、ならびに、ウィジェットビルダリソースコンポーネントおよび市場管理コンポーネントを含むコンテンツ管理システムの実行にも使用される。ウェブサーバは、消費者クライアントデバイス１３０、１３２、１３４からコンテンツ関連要求を受信して、受信したコンテンツ関連要求に応答するために使用される。
【００１２】
一実施形態では、クライアントデバイス１２６を使用するコンテンツ保有者は、作成され、アプリケーションサーバ１０６からの配信が可能なコンパイレーション特有のウェブウィジェットを使用して、１つまたは複数の消費者クライアントデバイス１３０、１３２、１３４に配信するための格納および登録されたコンテンツの１つまたは複数のコンパイレーションをアップロードし、データベースサーバ１１０に格納されたルックアップテーブルに登録し、管理し、パッケージ化し、価格を設定し、作成する。ウェブウィジェットを作成する際、アプリケーションサーバ１０６は、データベースサーバ１１０に格納されたルックアップテーブルをチェックして、ウェブウィジェットに含まれるまたはウェブウィジェットと関連するコンテンツファイルの利用可能性および形式を確認する。このプロセスは、アプリケーションサーバ１０６からの後続の配信のために、コンテンツ保有者によって新しいボタン、リンクまたはプレビュークリップが作成される場合にも従う。アプリケーションサーバ１０６上で実行されるウェブサーバは、消費者クライアントデバイス１３０、１３２、１３４上で実行しているブラウザで実行または選択されたウェブウィジェット、ボタン、リンクまたはプレビュークリップから受信した要求に応答するために使用される。
【００１３】
コンテンツ配信業者クライアントデバイス１２８は、コンテンツ配信フィードを提供し、アプリケーションサーバ１０６上でマルチメディアコンテンツ配信システムのアクティブアカウントを有するコンテンツ保有者のコンテンツ在庫表を更新するためにコンテンツ配信業者によって使用される。これらの在庫表は、コンテンツ保有者またはマルチメディアコンテンツ配信システムのオペレータの要求に応じて、配信フィードからのコンテンツで更新することができる。一実施形態では、配信フィードは、各コンテンツ保有者がそれぞれのコンテンツ管理システムへの包含に要求されるコンテンツを受信することを保証するために、アプリケーションサーバ１０６上で実行されるコンテンツ管理システムによって解析されるコンテンツをバルクで提供する。各配信フィードは解析され、コンテンツは、配信フィードで指定されるように各コンテンツ保有者のアカウントに割り当てられる。解析された時点で、これらの配信フィードに送達されたコンテンツはアップロードされ、マスタコンテンツファイルは、コンテンツ保有者によって事前に選択された１つまたは複数の代替のファイル形式にトランスコードされ、コンテンツファイルおよびそれらのトランスコード変形体は、クラウドベースのストレージリソース１２４に格納され、格納されたコンテンツファイルおよびトランスコード変形体への参照は、データベースサーバ１１０上で維持される１つまたは複数のルックアップテーブルに登録される。データベースサーバ１１０上でアップロードされ、登録された時点で、コンテンツ保有者は、これらの配信フィードに含まれるコンテンツにアクセスしてそれを使用し、アプリケーションサーバ１０６上で実行されるウィジェットビルダリソースコンポーネントを使用してウェブウィジェットと関連付けるための新しいコンテンツコンパイレーションを作成することができる。ある実施形態では、コンテンツコンパイレーションは、１つまたは複数のマルチメディアコンテンツファイルおよび関連メタデータの集合体である。作成され、特定のマルチメディアコンテンツおよび関連メタデータと関連付けられた時点で、これらのウェブウィジェットは、現在および潜在消費者のネットワークへのコンテンツ保有者によるバイラル配信に利用可能である。
【００１４】
一実施形態では、クラウドベースのストレージリソース１２４およびトランザクション処理サービス１１２は、Ａｍａｚｏｎ．ｃｏｍ，Ｉｎｃ．のＡｍａｚｏｎ  Ｗｅｂ  Ｓｅｒｖｉｃｅｓグループによって提供される。より具体的には、その実施形態では、クラウドベースのストレージリソースは、いかなる時でもＷｏｒｌｄ  Ｗｉｄｅ  Ｗｅｂ上のどこからでも任意の量のデータの格納および回収に使用することができるデータ格納能力を提供するＡｍａｚｏｎの「Ｓｉｍｐｌｅ  Ｓｔｏｒａｇｅ  Ｓｅｒｖｉｃｅ」（Ｓ３）を使用して実施される。同様に、ある実施形態では、トランザクション処理サービス１１２は、バイラル配信されたウェブウィジェット、ボタン、リンクまたはプレビュークリップからのコンテンツの購入およびダウンロードを消費者が決定した時点で支払処理およびチェックアウトプロセスを容易にするために、Ａｍａｚｏｎの「Ｆｌｅｘｉｂｌｅ  Ｐａｙｍｅｎｔｓ  Ｓｅｒｖｉｃｅ」（ＦＰＳ）を使用して実施される。この実施形態では、ＦＰＳは、消費者のクレジットカード、デビットカードまたは銀行口座情報を使用し、バイラル配信されたウェブウィジェット、ボタン、リンクまたはプレビュークリップで販売促進される登録されたマルチメディアコンテンツを購入することを望む消費者からの支払いを処理するために使用される。その上、代替の実施形態では、ファイルウイルススキャン１１６、ファイルトランスコーディング１１８およびファイル圧縮１１８プロセスは、専用の独自のサーバの代わりに、Ａｍａｚｏｎの「Ｅｌａｓｔｉｃ  Ｃｏｍｐｕｔｅ  Ｃｌｏｕｄ」（ＥＣ２）リソースを使用して実施される。ＥＣ２は、複数のクライアントデバイスに役立つアプリケーションのための演算能力を提供するようにスケーリングすることができるクラウドベースのネットワークでサイズ変更可能な演算能力を提供するウェブサービスである。
【００１５】
消費者のクライアントデバイス１３０、１３２、１３４上で実行するブラウザを使用する消費者は、直接的または間接的にウェブウィジェットを起動することができる。ウェブウィジェットは、消費者がボタンまたはリンクを受信し、次いで、ボタンまたはリンクをクリックし、ウェブウィジェットを起動する場合は間接的に起動することができる。同様に、消費者は、コンテンツ保有者またはウェブウィジェットの共有もしくは再配信を選択した第三者から受信した場合は直接的にウェブウィジェットを起動することができる。起動した時点で、消費者は、ウェブウィジェットでパッケージ化されたコンテンツをプレビューするか、ウェブウィジェットを第三者と共有するか、または、ウェブウィジェットでパッケージ化されたマルチメディアコンテンツを購入することを選択するかを選択することができる。組み込まれた購入ボタンをクリックすることによって特定のマルチメディアコンテンツファイルを購入することを消費者が選択すれば、ウェブウィジェットは、形式オプションの選択を消費者に提供し、次いで、クレジットカード、デビットカードまたは銀行口座情報を提供して購入トランザクションを完了するため、トランザクション処理サービス１１２に消費者をリダイレクトする。購入トランザクションが完了した時点で、選択されたマルチメディアコンテンツファイルは、ウェブウィジェットによって、クラウドベースのストレージリソース１２４から消費者の指定されたクライアントデバイス１３０、１３２、１３４にダウンロードされる。
【００１６】
図１Ｂは、マルチメディアコンテンツ配信システム１００の動作環境の代替の実施形態である。この動作環境では、さまざまなクライアントデバイス１３０、１３２、１３４からコンテンツ関連要求を受信して応答する際に使用するための独立したコンピューティングリソースとして１つまたは複数のウェブサーバが追加されている。この実施形態は、演算上より効率的であり、アプリケーションサーバ１０６を、コンテンツ管理システムの動作専用、および、この動作環境で使用される他のサーバ上のプロセスの制御専用にすることができる。上記で論じられるように、これらのサーバは、Ｅメールサーバ１０８、データベースサーバ１１０、ファイル管理サーバ１１４を含み、トランザクション処理サービス１１２を制御し、クラウドベースのストレージリソース１２４での格納のためのファイルウイルススキャン１１６、ファイルトランスコーディング１１８、ファイル圧縮１２０に対するコンテンツ変換サービスを制御する。
【００１７】
図２は、マルチメディアコンテンツ配信システム２００のある実施形態の図である。この実施形態では、システム２００は、コンテンツ管理システム２０２と、データ管理サービス２０８と、分析論および報告サービス２１０と、セキュリティサービス２１２と、トランザクション支払処理サービス２１４と、ウィジェット管理サービス２１６と、会計サービス２１８とから構成される。コンテンツ管理システム２０２は、ウィジェットビルダリソースコンポーネント２０４と、コンテンツ管理コンポーネント２２０と、市場管理コンポーネント２０６との３つのコンポーネントから構成される。コンテンツ管理コンポーネント２２０は、マルチメディアコンテンツのアップロード、コンテンツに関連するメタデータの編集および１つまたは複数のウェブウィジェットと関連付けることができる市場向けパッケージへのコンテンツのコンパイレーションの作成に使用される。コンテンツ管理コンポーネント２２０を通じてのアップロード、編集およびコンテンツのコンパイレーションの作成の制御に加えて、コンテンツ管理システム２０２は、クラウドベースのストレージリソース１２４での格納のためのウイルススキャン、ファイルトランスコーディングおよびファイル圧縮のためのアップロードされたコンテンツファイルに適用されるプロセスも制御する。ウィジェットビルダリソースコンポーネント２０４は、新しいウェブウィジェット、購入ボタン、リンクおよびプレビュークリップを含むさまざまなマーケティングリソースを作成するために使用される。一実施形態では、購入ボタン、リンクおよびプレビュークリップはそれぞれ、ウェブウィジェットと通信可能に結合され、その結果、ボタン、リンクおよびプレビュークリップの選択またはクリックにより、ウェブウィジェットが起動される。これらのマーケティングリソースが作成された時点で、コンテンツ保有者は、バイラル配信マーケティングキャンペーンでそれらを使用して、それらのコンテンツのコンパイレーションを販売促進することができる。市場管理コンポーネント２０６は、コンテンツのコンパイレーションに含まれる選択したアイテムに市場規則および価格設定条件を割り当てるためにコンテンツ保有者によって使用される。一実施形態では、アイテムは、個々の曲、曲のリリースまたは曲のカタログ全体を含む。異なる実施形態では、アイテムは、レポート、物理的な販売用品（例えば、カップ、Ｔシャツ、帽子など）、および他の電子商品を含む。
【００１８】
データ管理サービス２０８は、クラウドベースのストレージリソースに格納されたマルチメディアコンテンツファイル、これらのファイルのトランスコード変形体、コンテンツファイルおよびトランスコードファイルの１つまたは複数のコピーを含む圧縮ファイル、ならびに、コンテンツ保有者および第三者によって作成され配信されるウェブウィジェット、購入ボタン、リンク、プレビュークリップまたは他のマーケティングリソースから１つまたは複数のウェブサーバによって収集された使用統計を格納するファイルの位置の追跡に使用するためのルックアップテーブルを維持するために使用される。一実施形態では、分析論および報告サービス２１０は、データ管理サービス２１０のサブコンポーネントであり、１つまたは複数のネットワーク上でマルチメディアコンテンツを販売促進する際にコンテンツ保有者によって使用されるマーケティングリソースに対するコンパイルされた分析データ、トランザクション統計および位置統計を分析するために使用される。より具体的には、分析論および報告サービス２１０は、ウェブウィジェットのバイラル配信、および、そのようなネットワーク上で配信されているウェブウィジェット上で着手して完了した関連購入トランザクションから生じたトランザクション統計および位置統計をコンパイルする。代替の実施形態では、分析論および報告サービスは、データ管理サービス２１０、ならびに、ウェブウィジェットおよび他のマーケティングリソースの追跡やこれらのリソースからの使用統計の収集に使用されるウィジェット管理サービス２１６を含む１つまたは複数のウェブサーバと独立して相互作用するスタンドアロンのサービスである。
【００１９】
セキュリティソフトウェアサービス２１２は、コンテンツ保有者、配信業者クライアントおよび消費者クライアントに、マルチメディアコンテンツ配信システム２００およびその動作インフラへの安全なアクセスを提供する。一実施形態では、セキュリティサービス２１２は、マルチメディアコンテンツ配信システム２００の動作環境の一部として使用されるアプリケーションサーバ１０６および他のコンピューティングリソースへのアクセスを制限するためのファイアウォールソフトウェアを使用して実施される。支払処理サービス２１４は、ウェブウィジェットを使用してマルチメディアコンテンツをプレビュー、購入およびダウンロードする消費者によって着手された購入トランザクションを完了するためのトランザクション処理リソースへの直接的なアクセスを提供する。一実施形態では、支払処理サービス２１４は、Ａｍａｚｏｎ．ｃｏｍ，Ｉｎｃ．によって提供されるＦｌｅｘｉｂｌｅ  Ｐａｙｍｅｎｔ  Ｓｅｒｖｉｃｅ（ＦＰＳ）によって提供される。支払処理サービス２１４は、クレジットカード、デビットカードまたは他の銀行口座情報を使用した支払トランザクションの促進および実行に使用される。
【００２０】
ウィジェット管理サービス２１６は、１つまたは複数のウェブサーバ上で実施され、インターネットのウェブサイトまたは他のネットワーク上の他のアクセス可能な場所およびリソースに配信されてそこで起動されているウェブウィジェットの追跡に使用される。ウェブウィジェットがリンク、購入ボタンまたはプレビュークリップから配信または起動された時点で、他のオンラインコミュニティ、ウェブサイト、フォーラムなどへ「バイラル」形式でさらに配信することができる。一実施形態では、ウィジェット管理サービス２１６は、アプリケーションサーバ１０６を共同ホストとするウェブサーバ上で実施される。代替の実施形態では、ウィジェット管理サービス２１６は、１つまたは複数の独立したウェブサーバ１３６上で実施される。しかし、両実施形態では、ウィジェット管理サービスは、ウェブウィジェットからのマルチメディアコンテンツに対する要求の受信および受信したマルチメディアコンテンツに対する要求への応答に使用される。それに加えて、ウィジェット管理サービス２１６を実施するウェブサーバは、配置されたウェブウィジェット上でのデータ収集およびアクティビティモニタリングも実行する。ウェブサーバによって収集されるデータは、作成され、起動され、コンテンツ保有者、または、消費者およびオンラインソーシャルネットワークのメンバーなどの第三者によってインターネット、モバイルネットワークまたは他のコンピュータ通信ネットワーク上で配信されている各ウェブウィジェットに対するトランザクション統計、位置統計、使用統計および他の適切な市場統計を含む。ウェブウィジェットが起動された時点で、ウィジェット管理サービス２１６を実施するウェブサーバは、クラウドベースのストレージリソース１２４に格納される１つまたは複数のファイルにデータ統計をコンパイルし、格納されたデータ収集ファイルへの参照は、データ管理サービス２０８によって維持されるルックアップテーブルに作成され、統計が収集されている各ウェブウィジェットでパッケージ化されているマルチメディアコンテンツファイルおよび任意の関連トランスコードファイルと関連付けられる。代替の実施形態では、データ統計を含む１つまたは複数のデータ収集ファイルは、データ管理サービス２０８によってルックアップテーブルが維持されるデータベースサーバ１１０上に格納される。
【００２１】
会計サービス２１８は、コンテンツ管理システム２０２上でアクティブアカウントを有する各コンテンツ保有者にアカウントトランザクション認可を提供する。会計サービス２１８を使用することで、コンテンツ保有者は、コンテンツファイルの在庫表の利用可能なコンテンツの数およびタイプ、利用可能なコンテンツファイルの総数に対して実行されたトランザクションの数、クレジットとして消費者に返却されたトランザクションの数、完了したトランザクションの数、ならびに、完了したトランザクションから得られた収入を追跡することができる。
【００２２】
図３は、ウィジェットビルダリソースコンポーネントのある実施形態について描写する。ウィジェットビルダリソースコンポーネント３００は、「ウェブウィジェット」在庫表３１６、購入ボタン３１０、購入リンク３１２およびプレビュークリップ３１４を作成するために使用される。ある実施形態では、ウェブウィジェット在庫表３１６は、一実施形態では、デジタル音楽コンテンツの完全なカタログ、デジタル音楽コンテンツのシングルリリースおよびデジタル音楽コンテンツのシングル曲を含む市場向けのマルチメディアコンテンツのパッケージ用のウェブウィジェットを作成するためのサービスを含む。また、ウィジェットビルダリソースコンポーネント３００は、販売ウィジェット３０８を作成して、マーケティング商品としてコンテンツ保有者の物理的商品および関連材料を販売促進するためにも使用される。そのような物理的商品の例としては、コーヒーマグ、Ｔシャツ、帽子、ジャケットなどが挙げられる。現行の実施形態では、ウェブウィジェットは、音楽カタログ、音楽リリースおよびシングル曲の形式でコンパイルされることが多い音楽コンテンツに関連する。完全なカタログウィジェット３０２は、コンテンツ保有者の完全な音楽カタログの販売促進に使用される。一実施形態では、完全なカタログウィジェット３０２は、ウェブウィジェットでパッケージ化されたマルチメディアコンテンツ配信システム２００内のコンテンツ保有者の在庫内のコンテンツのプレビューを提供するビデオクリップを実行するために使用される。また、ウェブウィジェット３０２、３０４、３０６、３０８は、所望の指定分類（すなわち、カタログ、リリースまたはシングル曲）でこの実施形態で示される音楽セレクションなどのマルチメディアコンテンツの購入またはライセンス供与に関与する電子商取引トランザクションを容易にするためにも使用される。
【００２３】
シングルリリースウィジェット３０４は、ある実施形態では、マルチメディアコンテンツ配信システム２００のコンテンツ在庫表に格納されたコンテンツからコンテンツ保有者のシングルの音楽リリースを販売促進するために使用される。シングル曲ウィジェット３０６は、ある実施形態では、コンテンツ保有者によって提供されるシングル曲を販売促進するために使用される。販売ウィジェット３０８は、ある実施形態では、単品で販売促進すること、または、１つもしくは複数のマルチメディアコンテンツファイルと関連して販売促進することをコンテンツ保有者が選択し得る商品または物理的商品を販売促進するために使用される。販売ウィジェット３０８は、販売促進される商品または物理的商品（例えば、カップ、帽子、Ｔシャツなど）を含み得る完全なカスタムコンテンツコンパイレーション、特定のリリースからのコンテンツのサブセット、および、いかなる特定のリリースにも含まれないコンテンツ保有者のカタログからの他のコンテンツをコンテンツ保有者が作成しようとする際に使用される。購入ボタン３１０は、ウィジェットビルダリソースコンポーネント３００を使用して、コンテンツ保有者によって生成され、ウェブウィジェットにリンクされる。購入ボタン３１０は、コンテンツ保有者から利用可能なマルチメディアコンテンツのさまざまな分類を販売促進するため、カスタマイズして、インターネット上、モバイル通信ネットワーク上または他のコンピュータネットワーク上のオンラインリソースに配信することができる。消費者が購入ボタン３１０をクリックまたは選択した時点で、そのリンクされたウェブウィジェットが起動し、ウェブウィジェットのチェックアウト画面に消費者を導く。購入リンク３１２は、消費者がそのようなリンクをクリックして、それらのマルチメディアコンテンツファイルおよび関連商品を促進販売するこれらのリンクに関連するウェブウィジェットを起動することができるインターネット上、モバイル通信ネットワーク上または他のネットワーク上での広範囲のバイラル配信ために、コンテンツ保有者によって作成されるハイパーテキスト転送プロトコル（ＨＴＴＰ）リンクである。ウィジェットビルダリソースコンポーネント３００で作成されたプレビュークリップ３１４は、ウェブウィジェットにリンクされるが、消費者クライアントデバイス１３０、１３２、１３４のブラウザで映像および音声クリップを自動的に実行し、それらの消費者が、マルチメディアコンテンツをプレビューし、マルチメディアコンテンツについての情報に基づく選択を行えるように設計され、マルチメディアコンテンツは、購入して消費者のクライアントデバイス１３０、１３２、１３４にダウンロードするか、または、これらの消費者のソーシャルネットワーク内もしくは他のオンラインコミュニティ内の第三者にさらに配信するかを選択することができる。映像クリップの実行が完了した時点で、プレビュー映像クリップの実行開始時から起動されているリンクされたウェブウィジェットは、消費者クライアントデバイス１３０、１３２、１３４のブラウザに表示され、購入または配信決定を行う際に消費者を支援する。
【００２４】
図４は、コンテンツ管理コンポーネント４００のある実施形態を示す。コンテンツ管理コンポーネント４００は、いくつかのサービスから構成される。コンテンツ配信フィード４０２は、コンテンツ保有者がコンテンツ配信業者から配信フィードを要求して受信することを可能にするサービスである。そのようなフィードを通じてコンテンツ配信業者によってコンテンツ保有者に提供されるコンテンツは、コンテンツ管理システム２０２内のコンテンツ保有者のコンテンツ在庫表を自動的に更新して補充するために使用される。メタデータエディタ４０４は、コンテンツ保有者がマルチメディアコンテンツファイルに関連するメタデータを編集することを可能にするサービスである。一実施形態では、編集できるメタデータのタイプは、タイトル、アーティスト名、リリース日、ジャンル、カタログ番号および統一商品コードなどのコンテンツ保有者の音楽コンテンツに関連する情報を含む。画像コンテンツアップローダ４０６は、ウェブウィジェットに関連するコンテンツの市場向けのコンパイレーションを作成する際に使用するため、コンテンツ保有者によって提供される画像ファイルをアップロード、格納および登録するサービスである。一実施形態では、画像コンテンツアップローダ４０６を使用してアップロードすることができる画像ファイルのタイプは、ＧＩＦファイル、ＪＰＥＧファイルおよびＴＩＦファイルである。音声コンテンツアップローダ４０８は、音声ファイルのアップロードに使用される。ある実施形態では、音声コンテンツアップローダ４０８を使用してアップロードすることができる音声ファイルのタイプは、ＷＡＶファイルおよびＭＰ３ファイルを含む。コンパイレーションビルダ４１０は、コンテンツ管理システム２０２によって管理されるコンテンツ在庫表で利用可能なコンテンツからカスタムコンパイレーションを作成するためにコンテンツ保有者によって使用される。ある実施形態では、コンパイレーションビルダ４１０を使用して作成される各コンテンツコンパイレーションは、インターネット上、モバイル通信ネットワーク上または他のコンピュータ通信上で消費者にウェブ配信サービス２１６を使用して配信されるウェブウィジェットに関連する。最後に、コンテンツダウンローダ４１２は、ウェブウィジェットでパッケージ化されてウェブウィジェットを通じて販売促進される、コンテンツ保有者によって作成されたカスタムコンテンツコンパイレーションのダウンロードの制御に使用される。ウェブウィジェットからコンテンツダウンロード要求を受信すると、コンテンツダウンローダ４１２は、マルチメディアコンテンツ配信システム２００内のクラウドベースのストレージリソース１２４または他のストレージから、ウェブウィジェットに関連しウェブウィジェットを通じて販売促進されるパッケージ化されたコンテンツコンパイレーションを回収するプロセスに着手して制御し、回収したコンテンツコンパイレーションをクライアントデバイス１３０、１３２、１３４にダウンロードするプロセスも制御する。
【００２５】
図５は、市場管理コンポーネント５００のある実施形態で実現されたサービスを示す。示されるように、１つのサービスは、地域管理者５０２であり、販売パラメータおよび世界の異なる地理的領域のコンテンツ保有者から明確に利用可能なコンテンツに関連する販売キャンペーンのタイミングを設定するためにコンテンツ保有者によって使用される。例えば、コンテンツ保有者は、スペイン、ドイツまたはフランスでの販売およびマーケティングキャンペーン用のある特定の音楽コンテンツのサブセットまたは特定のリリースバージョンのみを提供するよう選択することができる。一方、世界の他の地域では、コンテンツ保有者は、それらのコンテンツの利用可能性に対する異なる地域的な制約を設定するよう、例えば、音楽コンテンツの利用可能性を南米または南米の特定の国々などの世界の完全に異なる地域の後期のリリースよりむしろ初期のリリースのみに制限するよう選択することができる。販売キャンペーン管理者５０４は、市場管理コンポーネント５００のある実施形態で実現された別のサービスであり、コンテンツ保有者が指定日に応じて販売キャンペーンを有効にしたり無効にしたりすることを可能にする。コンテンツ価格設定管理者５０６は、コンテンツ保有者がファイルタイプに応じて特定のファイルの価格を設定できるようにするサービスである。音楽コンテンツのみには限定されないが、一実施形態では、コンテンツ価格設定管理者５０６は、ＭＰ３ファイルのタイプおよびＷＡＶファイルのタイプに対する価格を設定するために使用される。現行の実施形態は、ＭＰ３および．ＷＡＶファイル形式で格納された音楽コンテンツの使用に関して説明されているが、コンテンツ価格設定管理者５０６の使用は、音楽ファイルのコンテンツの価格設定、さらには、これらの２つのタイプのファイル形式のファイルの価格設定に限定されず、画像ファイル、映像ファイル、オーディオブックファイルまたはビデオゲームファイルのコンテンツ、ならびに、コンテンツ保有者によって生成された他のファイルタイプおよびファイル形式のマルチメディアコンテンツの価格設定にまで幅広く適用することができる。
【００２６】
図６は、マルチメディアコンテンツファイルをアップロードしてトランスコードするためのプロセスの実施形態を示すフローチャートである。プロセスは、ステップ６００で始まり、１つまたは複数のコンテンツ保有者クライアントデバイス１２６からのコンテンツアップロード要求の受信６０２から開始する。アップロード要求を受信すると、コンテンツ管理システム２０２は、ステップ６０４に示されるように、マルチメディアコンテンツファイルおよび関連メタデータのアップロードを開始する。一実施形態では、関連メタデータは、アーティスト名、アルバムのタイトル、曲のタイトルのリリース名またはカタログ名などのマルチメディアコンテンツについての情報を含む。このプロセスを続行して、コンテンツ管理システム２０２は、ステップ６０６に示されるように、受信した各コンテンツファイルがマルチメディアコンテンツ配信システムへのアップロードに適正な形式かどうか確認する。ファイル形式が不適正なものである場合、例えば、ファイルの整合性が危うくなった場合は、プロセスはステップ６０４に戻り、次のマルチメディアコンテンツファイルおよび関連メタデータのアップロードを続行する。コンテンツが適正な形式である場合、プロセスは、引き続き、ステップ６０８に示されるように、新しく受信したコンテンツファイルをキューへ配置する。キューへ配置した後、ステップ６１０に示されるように、ファイルをウイルススキャンし、ステップ６１２に示されるように、ウイルススキャンに合格したかどうかを確認するためにテストを応用する。ウイルススキャンに失敗した場合は、プロセスは、ステップ６１４に示されるように、ウイルススキャンに失敗したことを示すメッセージをコンテンツ保有者クライアントデバイス１２６のブラウザに表示するためにコンテンツ保有者に送信し、そして、ステップ６１６に示されるように、プロセスは終了する。ウイルススキャンに合格した場合は、プロセスは、引き続き、ステップ６１８に示されるように、コンテンツファイルをトランスコードする。ある実施形態では、コンテンツ保有者は、アップロードした各マルチメディアコンテンツファイルのトランスコード用に１つまたは複数のファイル形式を選択することができ、ファイル形式は、Ｗｉｎｄｏｗｓ  Ｍｅｄｉａ  Ａｕｄｉｏ（ＷＭＡ）、Ａｄｖａｎｃｅｄ  Ａｕｄｉｏ  Ｃｏｄｉｎｇ（ＡＡＣ）、Ａｐｐｌｅ  Ｌｏｓｓｌｅｓｓ  Ａｕｄｉｏ  Ｃｏｄｅｃ（ＡＬＡＣ）、Ｆｒｅｅ  Ｌｏｓｓｌｅｓｓ  Ａｕｄｉｏ  Ｃｏｄｅｃ（ＦＬＡＣ）、ＷＭＡ  ＬｏｓｓｌｅｓｓおよびＭＰ３を含み得る。ファイルをトランスコードした後、プロセスは、引き続き、「マスタコンテンツファイル」と呼ばれる最初にアップロードされたコンテンツファイルおよびコンテンツ保有者によって指定された各トランスコードファイルを格納する。ステップ６２０に示されるように、マスタコンテンツファイルおよび任意のトランスコードファイルは、クラウドベースのストレージリソース１２４に格納される。これらのファイルの格納が完了すると、プロセスは、ステップ６２２に示されるように、データベース登録記録を更新する。データベース登録記録は、データベースサーバ１１０上のルックアップテー��ルで維持される。例えば、アルバムアップロードまたはカタログアップロードの一環として、複数のマルチメディアコンテンツファイルがアップロードされる場合、プロセスは、ステップ６２４に示されるように、アップロードが完了したかどうかを確認する。プロセスが完了していない場合は、アップロードするステップは、引き続き、ステップ６０４に示されるように、追加のマルチメディアコンテンツファイルおよび関連メタデータをアップロードする。一実施形態では、アップロードプロセスが完了している場合は、コンテンツ保有者は、決定ステップ６２６に示されるように、所定のファイルタイプのトランスコードファイルのサブセットを１つのファイルに圧縮するかを選択することができる。例えば、ある実施形態では、．ＷＡＶ形式のマスタコンテンツファイルをアップロードする際、コンテンツ保有者は、ステップ６１８に示されるように、トランスコードプロセスの間にマスタコンテンツファイルから作成された複数のトランスコードファイル（例えば、ＭＰ３形式ファイル、ＷＭＡ形式ファイル、ＦＬＡＣ形式ファイル）を有することができる。所望のファイルを選択した後、コンテンツ管理システム２０２は、ステップ６２８に示されるように、トランスコードファイル（例えば、ＷＭＡ形式ファイル）を単一の圧縮ファイルに圧縮する。ある実施形態では、選択したトランスコードファイルのサブセットは、Ｗｉｎｚｉｐファイルに圧縮される。圧縮プロセスが完了すると、ステップ６３０に示されるように、圧縮ファイルは、クラウドベースのストレージリソース１２４に格納され、ステップ６３２に示されるように、データベース登録記録を再度更新し、圧縮ファイルの格納場所、ならびに、マスタコンテンツファイルおよび関連トランスコードファイルとのその論理的関係性を特定する。そして、ステップ６３２に示されるように、プロセスは終了する。あるいは、決定ステップ６２６での圧縮に対してファイルが選択されなかった場合は、ステップ６３４に示されるように、アップロードおよびトランスコードプロセスは終了する。
【００２７】
図７Ａは、ウェブウィジェットでパッケージ化するためにアップロードしたコンテンツファイルを市場向け製品に変換するためにコンテンツ保有者によって使用されたプロセスの図である。ある実施形態では、それぞれのアップロードしたコンテンツファイルは、販売促進および配信用のアイテムを表す。各「アイテム」は、ウェブウィジェットと関連付けられた後、マーケティング目的のための「製品」として利用可能となる。製品を作成するプロセスは、ステップ７０２で始まり、ステップ７０４に示されるように、コンテンツ保有者がアップロードしたコンテンツファイルおよびメタデータからコンテンツコンパイレーションを作成することから開始する。その後、コンテンツ保有者は、ステップ７０６に示されるように、コンテンツコンパイレーションに市場規則を割り当て、次いで、ステップ７０８に示されるように、１つまたは複数のウェブウィジェット、リンク、ボタンまたはプレビュークリップを生成し、コンテンツコンパイレーションを販売促進し、そして、ステップ７１０に示されるように、プロセスは終了する。コンテンツコンパイレーションは、マーケティングおよび販売促進の目的のための「製品」であり、コンパイレーションは、１つのアイテム（例えば、シングル曲）、複数のアイテム（例えば、音楽「リリース」または音楽「カタログ」を含むアイテムなど）、物理的商品もしくはマーケティング商品（例えば、カップ、Ｔシャツ、帽子、主題詩の本など）の識別子、または、これらのアイテムおよび識別子の任意の組合せから構成され得る。一実施形態では、物理的商品またはマーケティング商品の識別子は、統一商品コード（ＵＰＣ）またはグローバル一意識別子（ＧＵＩＤ）のいずれかである。異なる実施形態では、ステップ７０６でコンテンツ保有者によって割り当てられる市場規則は、地域的な権利および制約（例えば、スペイン、ＵＫおよびフランスでのみ販売可能であり、イタリア、ドイツなどでは販売可能でないアルバムコレクションＡ）、総価格設定条件、数量価格割引、ならびに、販売または他の製品の特売の開始日および終了日を含み得る。
【００２８】
図７Ｂは、配信フィードを使用してコンテンツ在庫表を要求して更新するためのプロセスの図である。このプロセスは、ステップ７１２で始まり、ステップ７１４に示されるように、コンテンツ保有者によってコンテンツ管理システム２０２を通じて配信フィードを要求することにより着手される。一実施形態では、コンテンツ保有者は、既存の取引関係を有するコンテンツ配信業者から配信フィードを受信することを明確に要求することも、選択することもできる。代替の実施形態では、１人または複数のコンテンツ保有者の代理として行動するマルチメディアコンテンツ配信システム２００のオペレータは、マルチメディアコンテンツ配信システム２００で維持されるコンテンツ在庫表が更新され、コンテンツコンパイレーションの作成に利用可能であることを保証するため、コンテンツ保有者の代わりに配信フィードを要求することができる。示されるように、配信フィードが受信された時点で、ステップ７１６に示されるように、コンテンツおよびメタデータの解析が行われ、ステップ７１８に示されるように、コンテンツ保有者によって維持された１つまたは複数のコンテンツ在庫表が更新される。１つまたは複数のコンテンツ在庫表を受信し更新すると、ステップ７２０に示されるように、プロセスは終了する。配信業者クライアントから受信したコンテンツ配信フィードは、一実施形態では、複数の曲、アルバムコンテンツおよびカタログコンテンツなどの複数のコンテンツアイテムを含む複数のアーティストからのコンテンツを含む。ステップ７１６に示される配信フィードの解析は、コンテンツ保有者に応じてこの配信フィードを選択的に解析し、その結果、各コンテンツ保有者は、たとえ複数のコンテンツ保有者および各コンテンツ保有者に関連する複数のコンテンツファイルが単一の配信フィードに含まれている可能性があるとしても、彼または彼女のコンテンツ在庫表のそれぞれを自動的に更新させることになる。
【００２９】
図８は、ウェブウィジェットを生成し、ネットワーク上でそれらを配信し、ウェブウィジェットを使用してマルチメディアコンテンツの販売促進、配信および購入トランザクションの実行を容易にするためのプロセスの図である。このプロセスは、ステップ８０２に示されるように始まり、ステップ８０４に示されるように、ウィジェットを生成することから開始する。コンテンツ保有者は、１つまたは複数のウェブウィジェットを生成してマルチメディアコンテンツの異なるパッケージを販売促進することができる。マルチメディアコンテンツが音楽作品からなる一実施形態では、ウェブウィジェットのタイプの中で生成できるものは、シングル曲ウィジェット、曲リリースウィジェット、曲カタログウィジェットおよび販売ウィジェットである。シングル曲ウィジェットは、コンテンツ保有者のシングル曲を販売促進するために使用される。リリースウィジェットは、コンテンツ保有者によって作成された複数の曲または複数の形態のコンテンツ（例えば、音楽セレクション、Ｔシャツ、カップ、帽子およびコンテンツ保有者の著書の組合せ）を含むコンパイレーションを販売促進するために使用される。カタログウィジェットは、コンテンツ保有者の創造的な作品のカタログ全体を販売促進するために使用される。販売ウィジェットは、曲、曲のリリースまたはコンテンツ保有者のカタログのためにコンテンツ保有者によるテーマセットに付随し得るＴシャツ、カップ、キャリングケースなどの物理的商品を販売促進するために使用される。
【００３０】
新しいウェブウィジェットを生成すると、ステップ８０６に示されるように、関係者がウェブウィジェットを起動できるかまたはネットワーク上で第三者にウェブウィジェットをさらに配信できるウェブサイトに、インターネットまたは他のネットワーク上で配信することができる。クライアントデバイス上のブラウザ内で受信された時点では、ウェブウィジェットは、非アクティブモードで存在するが、ステップ８０８に示されるように、エンドユーザがウェブウィジェットをクリックするまたは選択するとアクティブモードに置き換えることができる。ラップトップコンピュータ１３０やデスクトップコンピュータ１３２の場合は、ウェブウィジェットは、Ｉｎｔｅｒｎｅｔ  Ｅｘｐｌｏｒｅｒ、Ｆｉｒｅｆｏｘ、Ｇｏｏｇｌｅ  Ｃｈｒｏｍｅ、Ｓａｆａｒｉ、Ｏｐｅｒａなどのウェブブラウザおよび他の人気のウェブブラウザで実行することができる。携帯情報端末などのモバイルクライアントデバイス１３４上では、ウェブウィジェットは、モバイルデバイス用のＭｉｃｒｏｓｏｆｔ  ＩＥ、Ｇｏｏｇｌｅ  Ａｎｄｒｏｉｄ、Ｂｏｌｔ、Ｔｅａｓｈａｒｋ、ＳａｆａｒｉおよびＯｐｅｒａ  Ｍｉｎｉなどのウェブブラウザで実行することができる。代替の一実施形態では、ウェブウィジェットは、エンドユーザがウェブウィジェットと通信可能に結合された購入ボタン、ＨＴＴＰリンクまたはプレビュークリップをクリックすると起動することができる。ウェブウィジェットを起動すると、ステップ８１０に示されるように、パッケージ化され関係付けられたマルチメディアコンテンツに関連するメタデータを回収する。その後、ウェブウィジェットは、ステップ８１２に示されるように、ウェブウィジェットでパッケージ化されている選択されたコンテンツを回収し、その結果、ステップ８１４に示されるように、ウェブウィジェットを起動したエンドユーザまたは消費者はコンテンツをプレビューすることができる。一実施形態では、プレビューされるコンテンツは、音楽セレクションの３０秒間の音声クリップである。代替の実施形態では、プレビューされるコンテンツは、マルチメディアコンテンツファイルの３０秒間の音声・映像クリップである。プレビューした時点で、消費者は、プレビューしたコンテンツを第三者と共有することを選択することができる。この場合、ステップ８２４に示されるように、共有要求を受信している場合は、ステップ８２６に示されるように、１人または複数の第三者の受信者にウェブウィジェットをさらに配信することができる。この様式では、ウェブウィジェットに関連するアーティストのコンテンツをバイラル配信し、アーティストが今までにマーケティング目的のために考えたことがない潜在消費者のオンラインコミュニティおよびチャネルで売買するというかなりのうわさまたは口コミを生じさせることができる。配信された時点で、ステップ８２２に示されるように、プロセスは終了する。共有要求を受信していない場合は、ウェブウィジェットは休止状態に保持され、ステップ８２２に示されるように、プロセスは終了する。
【００３１】
他方では、ステップ８１４に示されるように、マルチメディアコンテンツをプレビューした後に、消費者がコンテンツに関連する権利の購入またはライセンス供与などのマルチメディアコンテンツに関連する商取引に着手することを選択した場合は、ウェブウィジェットは、ステップ８１６に示されるように、購入またはライセンス要求が受信されていることを確認し、ステップ８１８に示されるように、ウェブページに消費者をリダイレクトし、選択したマルチメディアコンテンツに対する購入またはライセンストランザクションを開始させる。このウェブページは、トランザクション処理サービス１１２と結合され、その結果、購入トランザクションを適正に完了することができる。代替の実施形態では、消費者は、クレジットカード、デビットカードまたは他の金融口座（例えば、当座預金口座、普通預金口座、取引口座など）を維持する銀行、信用組合および他の金融機関とともに「認可されたベンダ」として、マルチメディアコンテンツ配信システム２００を運用するベンダを具体的に事前指定することができる。この実施形態では、ウェブウィジェットは、ステップ８１６に示されるように、購入またはライセンス要求が受信されていることを確認し、クライアントデバイス１３０、１３２、１３４上の消費者によるマウスのシングルクリックから生成される情報信号を受信後、購入またはライセンストランザクションを自動的に実行して完了し、トランザクションの条件を確認するウェブページを生成する。代替の実施形態では、ウェブウィジェットは、クライアントデバイス１３０、１３２、１３４上のキーを押すことまたはクライアントデバイス１３０、１３２、１３４上に設けられるタッチパッド上のジェスチャから生成される情報信号を受信後、購入またはライセンストランザクションを自動的に実行して完了する。ウェブウィジェットを通じて完了したすべてのトランザクションは、会計サービス２１８で追跡され、データ収集は、ウィジェット管理サービス２１６を実施するウェブサーバによってトランザクションのタイプおよびトランザクションの場所に対して実行され、統計的な傾向の分析は、分析論および報告サービス２１０によって実行されコンパイルされる。一実施形態では、統計分析は、自律的に実行される。代替の実施形態では、統計的な傾向の分析は、コンテンツ保有者の要求に応じて実行される。購入トランザクションを完了した時点で、ステップ８２０に示されるように、マルチメディアコンテンツは、ウェブウィジェットを通じて消費者のクライアントデバイス１３０、１３２、１３４にダウンロードされ、ステップ８２２に示されるように、プロセスは終了する。あるいは、ウェブウィジェットとはいえ購入要求がなされなければ、ウェブウィジェットは非アクティブ状態に保持され、ステップ８２２に示されるように、さらなる処理は行われない。
【００３２】
図９は、一実施形態によるウェブウィジェットの図である。この実施形態では、ウェブウィジェット９００は、起動ボタン９０６を含む形で示され、コンテンツ保有者名９０２（すなわち、「Ｌｅｎｎｙ  Ｗｈｉｔｅ」）およびマルチメディアコンテンツファイル名９０４（すなわち、「Ｄｒｕｍ  Ｂｏｏｇｉｅ」）を特定する。起動ボタン９０６をクリックすることにより、マルチメディアコンテンツ配信システム２００からマルチメディアコンテンツファイルおよびその関連メタデータが回収され、ウェブウィジェットに関連するマルチメディアコンテンツファイルのプレビューが始まる。ウェブウィジェットは、インターネットなどのネットワーク上で受信され、モバイル、ラップトップまたはデスクトップクライアントデバイス１３０、１３２、１３４上で実行されるＩｎｔｅｒｎｅｔ  Ｅｘｐｌｏｒｅｒ、Ｆｉｒｅｆｏｘ、Ｇｏｏｇｌｅ  Ｃｈｒｏｍｅ、Ｓａｆａｒｉ、Ｏｐｅｒａなどの消費者のウェブブラウザまたは他の人気のウェブブラウザで閲覧される。また、コンテンツ保有者は、この実施形態に示されるように、芸術またはイラスト材料でウェブウィジェットのスキンを作成することを選択することもできる。
【００３３】
図１０は、消費者が起動ボタン９０６をクリックした後のウェブウィジェット１０００の図である。この実施形態では、ウェブウィジェット１０００は、コンテンツ保有者名１００２（すなわち、Ｌｅｎｎｙ  Ｗｈｉｔｅ）、音楽セレクションまたはマルチメディアコンテンツファイル名１００４、マルチメディアコンテンツ（この実施形態では「Ｄｒｕｍ  Ｂｏｏｇｉｅ」と呼ばれる音楽セレクション）の購入を可能にする購入ボタン１００６のためのフィールドを含む。また、ウェブウィジェット１０００は、配信業者名および配信した年２０１０年（すなわち、Ａｂｓｔｒａｃｔｌｏｇｉｘ／２０１０）を含み、プレビュー能力を制限するためのフィールド１００８を提供する。このフィールド１００８に示されるように、再生、一時停止および停止ボタンがある。ウェブウィジェット１０００によって実現されたすべての機能は、消費者のクライアントデバイス１３０、１３２、１３４上のブラウザ内で実行される。
【００３４】
現行の実施形態では、ウェブウィジェット１０００は、コンテンツ回収コンポーネントと、コンテンツプレビューコンポーネントと、トランザクション処理コンポーネントとから構成される。起動ボタン９０６がクリックされた時点で、コンテンツ回収コンポーネントは、ウィジェット管理サービス２１６に要求を送信し、アプリケーションサーバ１０６からアクセス可能なクラウドベースのストレージリソース１２４、データベースサーバ１１０または他のストレージリソースから、ウェブウィジェット１０００に関連するマルチメディアコンテンツファイルおよびメタデータの回収を開始する。回収された時点で、マルチメディアコンテンツファイルの既定の部分は、コンテンツプレビューコンポーネントによって自動的に実行され、消費者は、購入決定を行う前にコンテンツをプレビューできるようになる。一実施形態では、既定の部分は、音楽セレクションの３０秒間の音声クリップである。代替の実施形態では、既定の部分は、マルチメディアコンテンツファイルの３０秒間の音声・映像クリップである。消費者がマルチメディアコンテンツファイルを購入することを選択した場合は、この実施形態では、「曲購入」ボタンをクリックし、それにより、トランザクション処理コンポーネントが実行される。トランザクション処理コンポーネントは、マルチメディアコンテンツファイルに関連する商取引に着手し、現行の実施形態では、消費者へのマルチメディアコンテンツファイルのライセンス供与を伴う。代替の実施形態では、商取引は、マルチメディアコンテンツファイルに対する権利の購入である。しかし、両実施形態では、商取引の成就により、購入またはライセンストランザクションを完了するウェブウィジェット１０００内に表示される第三者のウェブページに消費者をリダイレクトする。代替の実施形態では、消費者は、クレジットカード、デビットカードまたは他の金融口座（例えば、当座預金口座、普通預金口座、取引口座など）を維持する銀行および他の金融機関とともに「認可されたベンダ」として、マルチメディアコンテンツ配信システム２００を運用するベンダを具体的に事前指定することができる。この実施形態では、ウェブウィジェット１０００は、購入またはライセンス要求が受信されていることを確認し、ウェブウィジェット１０００は、クライアントデバイス１３０、１３２、１３４上の消費者によるマウスのシングルクリックから生成される情報信号を受信後、購入またはライセンストランザクションを自動的に実行し、トランザクションの条件を確認するウェブページを生成する。代替の実施形態では、ウェブウィジェット１０００は、クライアントデバイス１３０、１３２、１３４上のキーを押すことまたはクライアントデバイス１３０、１３２、１３４上に設けられるタッチパッド上のジェスチャから生成される情報信号を受信後、購入またはライセンストランザクションを自動的に実行して完了する。これらのそれぞれの実施形態では、商取引が完了した時点で、マルチメディアコンテンツファイルのすべての部分は、消費者のクライアントデバイス１３０、１３２、１３４にダウンロードされ、消費者によるクライアントデバイス１３０、１３２、１３４上での完全な実行が行われる。
【００３５】
図１１は、ある実施形態による複数のセレクションを含むリリース用のウェブウィジェット１１００のある実施形態を示す。ウェブウィジェット１１００のこの実施形態に含まれるマルチメディアコンテンツファイルのすべては、領域１１１０に示され一覧表示されている。この実施形態では、マルチメディアコンテンツファイルは、音楽セレクションである。追加のコンテンツファイルは、この示されるウェブウィジェット１１００の右側に表示される垂直スクロールバーを使用してプレビューすることができる。示されるように、Ｌｅｎｎｙ  Ｗｈｉｔｅという名前のアーティストによる複数の音楽セレクションがウェブウィジェット１１００に含まれている。また、ウェブウィジェット１１００のこの実施形態は、販売促進の目的のためにウェブウィジェット１１００でパッケージ化されているコンテンツのプレビューに使用するための再生ボタン１１０４も含む。この実施形態では、消費者は、個々のコンテンツファイル（すなわち、音楽セレクション）を選択し、再生ボタン１１０４をクリックして選択したファイルをプレビューすることも、領域１１１０に一覧表示される任意のコンテンツファイルをクリックして選択したコンテンツファイルのみをプレビューすることもできる。アルバム購入ボタン１１０８は、この実施形態では、再生ボタン１１０４と同じ行に示されている。それに加えて、アルバム名１１０２（すなわち、Ａｎａｍｏｌｙ）は、購入ボタン１１０４とアルバム購入１１０８ボタンの上の行に示されている。以前に論じたように、ウェブウィジェットは、バイラル配信して第三者と共有することができ、これは、口コミを増やしコンテンツ保有者の知名度をあげる効果がある。このバイラル配信能力は、この実施形態で示されるように、共有リンク１１０６によって可能となり、バイラル配信能力は、現在のユーザのオンラインソーシャルネットワークまたは他のオンラインコミュニティの他の潜在消費者へのウェブウィジェット１１００の後続の配信を可能にする。
【００３６】
この代替の実施形態では、ウェブウィジェット１１００は、コンテンツ検索コンポーネントと、コンテンツ回収コンポーネントと、コンテンツプレビューコンポーネントと、トランザクション処理コンポーネントとを含む。起動ボタン９０６をクリックした時点で、ウェブウィジェット１１００に関連するコンパイレーションに含まれるマルチメディアコンテンツファイルの一覧が消費者に提示される。この実例では、一覧は、Ｌｅｎｎｙ  Ｗｈｉｔｅによるアルバム「Ａｎａｍｏｌｙ」上で提供される曲を含む。コンテンツファイルの一覧をレビューする際、消費者は、コンテンツファイルの１つまたは複数をプレビューすることを選択することができる。プレビューのために消費者がウェブウィジェット１１００に関連する一覧表示されたマルチメディアコンテンツファイルの１つまたは複数を選択すれば、コンテンツ検索コンポーネントが起動し、選択したマルチメディアコンテンツファイルを検索するよう構成される。ファイルは、アプリケーションサーバ１０６からアクセス可能である。アプリケーションサーバ１０６がコンテンツファイルを位置付けた後、コンテンツ回収コンポーネントは、ウィジェット管理サービス２１６に回収要求を送信し、ウィジェット管理サービス２１６は、受信した回収要求に基づいて、コンテンツダウンロード要求を生成し、アプリケーションサーバ１０６に送信する。ウィジェット管理サービス２１６からコンテンツダウンロード要求を受信後、アプリケーションサーバ１０６は、選択されたマルチメディアコンテンツファイルおよび関連メタデータの回収を開始する。回収された時点で、選択されたマルチメディアコンテンツファイルの既定の部分は、コンテンツプレビューコンポーネントによって自動的に実行され、消費者は、購入決定を行う前にコンテンツファイルをプレビューできるようになる。一実施形態では、既定の部分は、音楽セレクションの３０秒間の音声クリップである。代替の実施形態では、既定の部分は、マルチメディアコンテンツファイルの３０秒間の音声・映像クリップである。消費者がマルチメディアコンテンツファイルのコンパイレーション（この実施形態では、複数のマルチメディアコンテンツファイルを含むアルバム）を購入またはライセンスすることを選択した場合は、消費者は、「アルバム購入」ボタン１１０８をクリックし、それにより、トランザクション処理コンポーネントが起動される。トランザクション処理コンポーネントは、マルチメディアコンテンツファイルに関連する商取引に着手し、結果として、料金の支払いが生じ、この例では、消費者へマルチメディアコンテンツファイルのコンパイレーションのライセンスが供与される。商取引が完了した時点で、コンパイレーションのコンテンツファイルのすべての部分は、消費者のクライアントデバイス１３０、１３２、１３４にダウンロードされ、消費者によるクライアントデバイス１３０、１３２、１３４上での完全な実行が行われる。
【００３７】
図１２は、ウェブウィジェット１２００を通じて購入できるコンテンツのための異なる形式オプションについて描写するウェブウィジェットの図である。ウェブウィジェット１２００のこの実施形態では、０．９９ドルで入手可能なＭＰ３バージョンのコンテンツファイルおよび別個の購入ボタン１２０６がある。また、０．９９ドルで入手可能な．ＷＡＶ形式のコンテンツファイルおよびその形式ファイルに対する別個の購入ボタン１２０８もある。また、ウェブウィジェット１２００は、個々の曲名１２０４（すなわち、Ｄｒｕｍ  Ｂｏｏｇｉｅ）およびアーティスト名１２０２（すなわち、Ｌｅｎｎｙ  Ｗｈｉｔｅ）も含む。
【００３８】
図１３は、購入ボタンをクリックした後でウェブウィジェット内に表示される画面の図である。ウェブウィジェット１３００のこの実施形態では、消費者が購入ボタン１２０６を選択してＭＰ３形式のファイルを購入した後、この図面に示されるように、ウェブウィジェット１３００内にチェックアウト画面が現れる。このウェブウィジェット１３００のチェックアウト画面は、コンテンツファイルの総額および購入したファイルの数を含み、これらのアイテムは、領域１３０４に表示される。セレクション名（すなわち、「Ｄｒｕｍ  Ｂｏｏｇｉｅ」）、アーティスト名（すなわち、Ｌｅｎｎｙ  Ｗｈｉｔｅ）、形式タイプ（すなわち、ＭＰ３）、ファイルの数（すなわち、２つのファイル）および総合ファイルサイズ（すなわち、８．２４ＭＢ）は、領域１３０２に表示される。
【００３９】
図１４は、一実施形態によるトランザクション処理サービス１１２用のウェブページの図である。示される実施形態では、Ａｍａｚｏｎ  Ｆｌｅｘｉｂｌｅ  Ｐａｙｍｅｎｔ  Ｓｅｒｖｉｃｅ（すなわち、「Ａｍａｚｏｎ  ＦＰＳ」）のトランザクションページが表示されている。この実施形態では、このウェブページ１４００は、消費者がクレジットカード、デビットカードまたは銀行口座情報を入力して、マルチメディアコンテンツ配信システム２００を備えた動作環境で使用されるクラウドベースのストレージリソース１２４に格納され、そこからダウンロード可能なマルチメディアコンテンツファイルの購入を完了する場所である。Ａｍａｚｏｎ  ＦＰＳは、マルチメディアコンテンツ配信システム２００のための動作環境との互換性を有し得る多くの第三者のトランザクション処理サービスの１つにすぎない。代替の一実施形態では、代替のトランザクション処理サービスは、Ａｕｔｈｏｒｉｚｅ．Ｎｅｔ、Ｇｏｏｇｌｅ  Ｃｈｅｃｋｏｕｔ、Ｓｔｏｒｍ  Ｐａｙ、ＰａｙＰａｌまたは他のトランザクション処理用のインターネットサービスのいずれでもあり得る。さらなる別の代替の実施形態では、トランザクション処理サービス１１２は、一般に、インターネットでも他の公共のコンピュータ通信ネットワーク上でもアクセス不可能な完全に内部の独自のサービスで実施される。
【００４０】
図１５は、オンラインソーシャルネットワークに含まれる消費者および第三者に「バイラル」配信することができる購入ボタン１５００の図である。購入ボタン１５００は、フィールド１５０２に表示されているように、マルチメディアコンテンツファイルに対してコンテンツ保有者によって設定されたファイルタイプ（この例では、ＭＰ３ファイルタイプ）および価格も特定する。購入ボタンをクリックすると、ウェブウィジェットが起動し、起動されたウェブウィジェット内の図１３に示されるものなどのチェックアウト画面が消費者のクライアントデバイス１３０、１３２、１３４上のウェブブラウザに表示される。
【００４１】
特定の実施形態が本明細書で示され説明されてきたが、当業者であれば、本開示の範囲から逸脱することなく、多種多様の代替のおよび／または同等な実装形態を、示され説明される特定の実施形態の代用とすることができることが理解されよう。本願は、本明細書で論じられる実施形態のいかなる適応形態も変形形態も包含することを意図する。
【図１Ａ】
2013540298.tif 000003
【図１Ｂ】
2013540298.tif 000004
【図２】
2013540298.tif 000005
【図３】
2013540298.tif 000006
【図４】
2013540298.tif 000007
【図５】
2013540298.tif 000008
【図６】
2013540298.tif 000009
【図７】
2013540298.tif 000010
【図８】
2013540298.tif 000011
【図９】
2013540298.tif 000012
【図１０】
2013540298.tif 000013
【図１１】
2013540298.tif 000014
【図１２】
2013540298.tif 000015
【図１３】
2013540298.tif 000016
【図１４】
2013540298.tif 000017
【図１５】
2013540298.tif 000018
【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
コンピュータ通信ネットワーク上でマルチメディアコンテンツを配信するための高移植性ウェブウィジェットであって、バイラル配信およびクライアントデバイス上のウェブブラウザでの実行に適合され、前記クライアントデバイスは、プロセッサとメモリとを有する高移植性ウェブウィジェットにおいて、前記クライアントデバイスを、
アクティブモードおよび非アクティブモードである少なくとも２つの動作モードの切替コンポーネントと、
前記コンピュータ通信ネットワーク上でアプリケーションサーバと通信可能に結合されたコンテンツ検索コンポーネントであって、前記アプリケーションサーバからアクセス可能であり、前記ウェブウィジェットが前記アクティブ動作モードに入った後に前記ウェブウィジェットと関連付けられる複数のマルチメディアコンテンツファイルを検索するよう構成された、コンテンツ検索コンポーネントと、
前記コンピュータ通信ネットワーク上で前記アプリケーションサーバと通信可能に結合されたコンテンツ回収コンポーネントであって、ストレージリソースから前記クライアントデバイスの前記メモリに、前記複数のマルチメディアコンテンツファイルから選択された１つまたは複数のマルチメディアコンテンツファイルおよび関連メタデータを回収するよう構成された、コンテンツ回収コンポーネントと、
前記回収された１つまたは複数のマルチメディアコンテンツファイルのそれぞれの一部分を実行するよう前記プロセッサによって構成されたコンテンツプレビューコンポーネントと、
前記クライアントデバイス上で生成された情報信号を受信した後に、前記複数のマルチメディアコンテンツファイルのライセンス供与および購入のうちの少なくともいずれかである商取引トランザクションを自動的に実行するトランザクション処理コンポーネントと、として機能させることを特徴とするウェブウィジェット。
【請求項２】
請求項１に記載のウェブウィジェットにおいて、前記コンピュータ通信ネットワークは、インターネットであることを特徴とするウェブウィジェット。
【請求項３】
請求項１に記載のウェブウィジェットにおいて、前記コンピュータ通信ネットワークは、モバイル通信ネットワークであることを特徴とするウェブウィジェット。
【請求項４】
請求項１に記載のウェブウィジェットにおいて、前記コンピュータ通信ネットワークは、イントラネットであることを特徴とするウェブウィジェット。
【請求項５】
請求項１に記載のウェブウィジェットにおいて、前記ウェブブラウザは、インターネットブラウザであることを特徴とするウェブウィジェット。
【請求項６】
請求項１に記載のウェブウィジェットにおいて、前記ウェブブラウザは、モバイルデバイスブラウザであることを特徴とするウェブウィジェット。
【請求項７】
請求項５に記載のウェブウィジェットにおいて、前記インターネットブラウザは、Ｉｎｔｅｒｎｅｔ  Ｅｘｐｌｏｒｅｒブラウザ、Ｆｉｒｅｆｏｘブラウザ、Ｇｏｏｇｌｅ  Ｃｈｒｏｍｅブラウザ、ＳａｆａｒｉブラウザおよびＯｐｅｒａブラウザの少なくとも１つであることを特徴とするウェブウィジェット。
【請求項８】
請求項６に記載のウェブウィジェットにおいて、前記モバイルデバイスブラウザは、モバイル用のＭｉｃｒｏｓｏｆｔ  ＩＥブラウザ、Ｇｏｏｇｌｅ  Ａｎｄｒｏｉｄブラウザ、Ｂｏｌｔブラウザ、Ｔｅａｓｈａｒｋブラウザ、ＳａｆａｒｉブラウザおよびＯｐｅｒａ  Ｍｉｎｉブラウザの少なくとも１つであることを特徴とするウェブウィジェット。
【請求項９】
請求項１に記載のウェブウィジェットにおいて、前記クライアントデバイスは、デスクトップコンピュータ、ラップトップコンピュータおよび携帯情報端末の少なくとも１つであることを特徴とするウェブウィジェット。
【請求項１０】
請求項１に記載のウェブウィジェットにおいて、前記マルチメディアコンテンツファイルのそれぞれは、音楽のリリースの音楽セレクションであることを特徴とするウェブウィジェット。
【請求項１１】
請求項１に記載のウェブウィジェットにおいて、前記マルチメディアコンテンツファイルのそれぞれは、音楽カタログの音楽セレクションであることを特徴とするウェブウィジェット。
【請求項１２】
請求項１０に記載のウェブウィジェットにおいて、前記１つまたは複数の回収されたマルチメディアコンテンツファイルに関連する前記メタデータは、各音楽セレクションのタイトル、アーティスト名および音楽リリース名の少なくとも１つを含むことを特徴とするウェブウィジェット。
【請求項１３】
請求項１１に記載のウェブウィジェットにおいて、前記１つまたは複数の回収されたマルチメディアコンテンツファイルに関連する前記メタデータは、各音楽セレクションのタイトル、アーティスト名および音楽カタログ名の少なくとも１つを含むことを特徴とするウェブウィジェット。
【請求項１４】
請求項１に記載のウェブウィジェットにおいて、前記商取引は、前記マルチメディアコンテンツファイルが音楽リリースおよび音楽カタログの１つの中の複数の音楽セレクションを含む場合は、知的財産ライセンスであることを特徴とするウェブウィジェット。
【請求項１５】
請求項１に記載のウェブウィジェットにおいて、前記マルチメディアコンテンツファイルは、物理的商品の１つまたは複数の識別子をさらに含み、前記商取引は、前記物理的商品の前記１つまたは複数の識別子に関連する前記物理的商品の１つまたは複数の購入トランザクションであることを特徴とするウェブウィジェット。
【請求項１６】
請求項１に記載のウェブウィジェットにおいて、前記トランザクション処理コンポーネントは、公共のトランザクション処理サービスを使用して商取引に着手するよう作動可能であることを特徴とするウェブウィジェット。
【請求項１７】
請求項１に記載のウェブウィジェットにおいて、前記トランザクション処理コンポーネントは、独自のトランザクション処理サービスを使用して商取引に着手するよう作動可能であることを特徴とするウェブウィジェット。
【請求項１８】
請求項１６に記載のウェブウィジェットにおいて、前記公共のトランザクション処理サービスは、Ａｍａｚｏｎ  Ｆｌｅｘｉｂｌｅ  Ｐａｙｍｅｎｔｓ  Ｓｅｒｖｉｃｅであることを特徴とするウェブウィジェット。
【請求項１９】
請求項１６に記載のウェブウィジェットにおいて、前記公共のトランザクション処理サービスは、Ｇｏｏｇｌｅ  Ｃｈｅｃｋｏｕｔ  Ｓｅｒｖｉｃｅであることを特徴とするウェブウィジェット。
【請求項２０】
請求項１６に記載のウェブウィジェットにおいて、前記公共のトランザクション処理サービスは、ＰａｙＰａｌ  Ｓｅｒｖｉｃｅであることを特徴とするウェブウィジェット。
【請求項２１】
コンピュータ通信ネットワーク上でマルチメディアコンテンツを配信するための高移植性ウェブウィジェットであって、バイラル配信およびクライアントデバイス上のウェブブラウザでの実行に適合され、前記クライアントデバイスは、プロセッサとメモリとを有する高移植性ウェブウィジェットにおいて、前記クライアントデバイスを、
アクティブモードおよび非アクティブモードである少なくとも２つの動作モードの切替コンポーネントと、
前記コンピュータ通信ネットワーク上でアプリケーションサーバと通信可能に結合されたコンテンツ回収コンポーネントであって、前記ウェブウィジェットが前記アクティブ動作モードに入った後に、ストレージリソースから前記クライアントデバイスの前記メモリに、マルチメディアコンテンツファイルおよび関連メタデータを回収するよう構成された、コンテンツ回収コンポーネントと、
前記回収されたマルチメディアコンテンツファイルの一部分を実行するよう前記プロセッサによって構成されたコンテンツプレビューコンポーネントと、
前記クライアントデバイスで生成された情報信号を受信した後に、前記複数のマルチメディアコンテンツファイルのライセンス供与および購入のうちの少なくともいずれかである商取引トランザクションを自動的に実行するトランザクション処理コンポーネントと、として機能させることを特徴とするウェブウィジェット。
【請求項２２】
請求項２１に記載のウェブウィジェットにおいて、前記コンピュータ通信ネットワークは、インターネットであることを特徴とするウェブウィジェット。
【請求項２３】
請求項２１に記載のウェブウィジェットにおいて、前記コンピュータ通信ネットワークは、モバイル通信ネットワークであることを特徴とするウェブウィジェット。
【請求項２４】
請求項２１に記載のウェブウィジェットにおいて、前記コンピュータ通信ネットワークは、イントラネットであることを特徴とするウェブウィジェット。
【請求項２５】
請求項２１に記載のウェブウィジェットにおいて、前記ウェブブラウザは、インターネットブラウザであることを特徴とするウェブウィジェット。
【請求項２６】
請求項２１に記載のウェブウィジェットにおいて、前記ウェブブラウザは、モバイルデバイスブラウザであることを特徴とするウェブウィジェット。
【請求項２７】
請求項２５に記載のウェブウィジェットにおいて、前記インターネットブラウザは、Ｉｎｔｅｒｎｅｔ  Ｅｘｐｌｏｒｅｒブラウザ、Ｆｉｒｅｆｏｘブラウザ、Ｇｏｏｇｌｅ  Ｃｈｒｏｍｅブラウザ、ＳａｆａｒｉブラウザおよびＯｐｅｒａブラウザの少なくとも１つであることを特徴とするウェブウィジェット。
【請求項２８】
請求項２６に記載のウェブウィジェットにおいて、前記モバイルデバイスブラウザは、モバイル用のＭｉｃｒｏｓｏｆｔ  ＩＥブラウザ、Ｇｏｏｇｌｅ  Ａｎｄｒｏｉｄブラウザ、Ｂｏｌｔブラウザ、Ｔｅａｓｈａｒｋブラウザ、ＳａｆａｒｉブラウザおよびＯｐｅｒａ  Ｍｉｎｉブラウザの少なくとも１つであることを特徴とするウェブウィジェット。
【請求項２９】
請求項２１に記載のウェブウィジェットにおいて、前記クライアントデバイスは、デスクトップコンピュータ、ラップトップコンピュータおよび携帯情報端末の少なくとも１つであることを特徴とするウェブウィジェット。
【請求項３０】
請求項２１に記載のウェブウィジェットにおいて、前記マルチメディアコンテンツファイルのそれぞれは、音楽のリリースの音楽セレクションであることを特徴とするウェブウィジェット。
【請求項３１】
請求項２１に記載のウェブウィジェットにおいて、前記マルチメディアコンテンツファイルのそれぞれは、音楽カタログの音楽セレクションであることを特徴とするウェブウィジェット。
【請求項３２】
請求項３０に記載のウェブウィジェットにおいて、前記１つまたは複数の回収されたマルチメディアコンテンツファイルに関連する前記メタデータは、各音楽セレクションのタイトル、アーティスト名および音楽リリース名の少なくとも１つを含むことを特徴とするウェブウィジェット。
【請求項３３】
請求項３１に記載のウェブウィジェットにおいて、前記１つまたは複数の回収されたマルチメディアコンテンツファイルに関連する前記メタデータは、各音楽セレクションのタイトル、アーティスト名および音楽カタログ名の少なくとも１つを含むことを特徴とするウェブウィジェット。
【請求項３４】
請求項２１に記載のウェブウィジェットにおいて、前記商取引は、前記マルチメディアコンテンツファイルが音楽リリースおよび音楽カタログの１つの中の複数の音楽セレクションを含む場合は、知的財産ライセンスであることを特徴とするウェブウィジェット。
【請求項３５】
請求項２１に記載のウェブウィジェットにおいて、前記マルチメディアコンテンツファイルは、物理的商品の１つまたは複数の識別子をさらに含み、前記商取引は、前記物理的商品の前記１つまたは複数の識別子に関連する前記物理的商品の１つまたは複数の購入トランザクションであることを特徴とするウェブウィジェット。
【請求項３６】
請求項２１に記載のウェブウィジェットにおいて、前記トランザクション処理コンポーネントは、公共のトランザクション処理サービスを使用して商取引に着手するよう作動可能であることを特徴とするウェブウィジェット。
【請求項３７】
請求項２１に記載のウェブウィジェットにおいて、前記トランザクション処理コンポーネントは、独自のトランザクション処理サービスを使用して商取引に着手するよう作動可能であることを特徴とするウェブウィジェット。
【請求項３８】
請求項３６に記載のウェブウィジェットにおいて、前記公共のトランザクション処理サービスは、Ａｍａｚｏｎ  Ｆｌｅｘｉｂｌｅ  Ｐａｙｍｅｎｔｓ  Ｓｅｒｖｉｃｅであることを特徴とするウェブウィジェット。
【請求項３９】
請求項３６に記載のウェブウィジェットにおいて、前記公共のトランザクション処理サービスは、Ｇｏｏｇｌｅ  Ｃｈｅｃｋｏｕｔ  Ｓｅｒｖｉｃｅであることを特徴とするウェブウィジェット。
【請求項４０】
請求項３６に記載のウェブウィジェットにおいて、前記公共のトランザクション処理サービスは、ＰａｙＰａｌ  Ｓｅｒｖｉｃｅであることを特徴とするウェブウィジェット。
【請求項４１】
コンピュータ通信ネットワーク上でマルチメディアコンテンツを配信するための方法において、
マルチメディアコンテンツ配信システムのウェブサーバから、プロセッサとメモリとを有するクライアントデバイス上で実行される１つまたは複数のウェブブラウザに、当該ウェブブラウザで実行するためのウェブウィジェットを配信するステップであって、前記ウェブウィジェットは、１つまたは複数のマルチメディアコンテンツファイルに関連し、前記１つまたは複数の関連マルチメディアコンテンツファイルのそれぞれは、関連メタデータを有する、ステップと、
前記クライアントデバイスが、前記１つまたは複数のウェブブラウザで前記ウェブウィジェットの起動後に、前記１つまたは複数のウェブブラウザで前記ウェブウィジェットを実行するステップと、
前記ウェブサーバが、前記ウェブウィジェットを実行する前記１つまたは複数のウェブブラウザから前記ウェブサーバが選択要求を受信すると同時に、前記クライアントデバイスに前記１つまたは複数の関連マルチメディアコンテンツファイルおよび前記関連メタデータを送達するステップと、
前記ウェブサーバが、前記クライアントデバイスで生成された選択要求を受信した後に、前記複数のマルチメディアコンテンツファイルのライセンス供与および購入のうちの少なくともいずれかである商取引トランザクションを自動的に実行するステップと
を含むことを特徴とする方法。
【請求項４２】
請求項４１に記載の方法において、前記コンピュータ通信ネットワークは、インターネットであることを特徴とする方法。
【請求項４３】
請求項４１に記載の方法において、前記コンピュータ通信ネットワークは、モバイル通信ネットワークであることを特徴とする方法。
【請求項４４】
請求項４１に記載の方法において、前記コンピュータ通信ネットワークは、イントラネットであることを特徴とする方法。
【請求項４５】
請求項４１に記載の方法において、前記ウェブブラウザは、インターネットブラウザであることを特徴とする方法。
【請求項４６】
請求項４１に記載の方法において、前記ウェブブラウザは、モバイルデバイスブラウザであることを特徴とする方法。
【請求項４７】
請求項４５に記載の方法において、前記インターネットブラウザは、Ｉｎｔｅｒｎｅｔ  Ｅｘｐｌｏｒｅｒブラウザ、Ｆｉｒｅｆｏｘブラウザ、Ｇｏｏｇｌｅ  Ｃｈｒｏｍｅブラウザ、ＳａｆａｒｉブラウザおよびＯｐｅｒａブラウザの少なくとも１つであることを特徴とする方法。
【請求項４８】
請求項４６に記載の方法において、前記モバイルデバイスブラウザは、モバイル用のＭｉｃｒｏｓｏｆｔ  ＩＥブラウザ、Ｇｏｏｇｌｅ  Ａｎｄｒｏｉｄブラウザ、Ｂｏｌｔブラウザ、Ｔｅａｓｈａｒｋブラウザ、ＳａｆａｒｉブラウザおよびＯｐｅｒａ  Ｍｉｎｉブラウザの少なくとも１つであることを特徴とする方法。
【請求項４９】
請求項４１に記載の方法において、前記クライアントデバイスは、デスクトップコンピュータ、ラップトップコンピュータおよび携帯情報端末の少なくとも１つであることを特徴とする方法。
【請求項５０】
請求項４１に記載の方法において、前記マルチメディアコンテンツファイルのそれぞれは、音楽のリリースの音楽セレクションであることを特徴とする方法。
【請求項５１】
請求項４１に記載の方法において、前記マルチメディアコンテンツファイルのそれぞれは、音楽カタログの音楽セレクションであることを特徴とする方法。
【請求項５２】
請求項５０に記載の方法において、前記関連するメタデータは、各音楽セレクションのタイトル、アーティスト名および音楽リリース名の少なくとも１つを含むことを特徴とする方法。
【請求項５３】
請求項５１に記載の方法において、前記関連する前記メタデータは、各音楽セレクションのタイトル、アーティスト名および音楽カタログ名の少なくとも１つを含むことを特徴とする方法。
【請求項５４】
請求項４１に記載の方法において、前記商取引は、前記マルチメディアコンテンツファイルが音楽リリースおよび音楽カタログの１つの中の複数の音楽セレクションを含む場合は、知的財産ライセンスであることを特徴とする方法。
【請求項５５】
請求項４１に記載の方法において、前記マルチメディアコンテンツファイルは、物理的商品の１つまたは複数の識別子をさらに含み、前記商取引は、前記物理的商品の前記１つまたは複数の識別子に関連する前記物理的商品の１つまたは複数の購入トランザクションであることを特徴とする方法。
【請求項５６】
請求項４１に記載の方法において、前記商取引に着手するステップは、公共のトランザクション処理サービスを使用することを特徴とする方法。
【請求項５７】
請求項４１に記載の方法において、前記商取引に着手するステップは、独自のトランザクション処理サービスを使用することを特徴とする方法。
【請求項５８】
請求項５６に記載の方法において、前記公共のトランザクション処理サービスは、Ａｍａｚｏｎ  Ｆｌｅｘｉｂｌｅ  Ｐａｙｍｅｎｔｓ  Ｓｅｒｖｉｃｅであることを特徴とする方法。
【請求項５９】
請求項５６に記載の方法において、前記公共のトランザクション処理サービスは、Ｇｏｏｇｌｅ  Ｃｈｅｃｋｏｕｔ  Ｓｅｒｖｉｃｅであることを特徴とする方法。
【請求項６０】
請求項５６に記載の方法において、前記公共のトランザクション処理サービスは、ＰａｙＰａｌ  Ｓｅｒｖｉｃｅであることを特徴とする方法。
【請求項６１】
請求項１に記載のウェブウィジェットにおいて、前記部分は、前記回収された１つまたは複数のマルチメディアコンテンツファイルのそれぞれからの音楽セレクションの３０秒間の音声クリップであることを特徴とするウェブウィジェット。
【請求項６２】
請求項１に記載のウェブウィジェットにおいて、前記部分は、前記回収された１つまたは複数のマルチメディアコンテンツファイルのそれぞれの３０秒間の音声・映像クリップであることを特徴とするウェブウィジェット。
【請求項６３】
請求項２１に記載のウェブウィジェットにおいて、前記回収されたマルチメディアコンテンツファイルは、音楽セレクションであり、前記部分は、前記音楽セレクションの３０秒間の音声クリップであることを特徴とするウェブウィジェット。
【請求項６４】
請求項２１に記載のウェブウィジェットにおいて、前記部分は、前記回収されたマルチメディアコンテンツファイルの３０秒間の音声・映像クリップであることを特徴とするウェブウィジェット。
【請求項６５】
請求項１に記載のウェブウィジェットにおいて、前記情報信号は、前記クライアントデバイスと通信可能に結合されたコンピュータマウスのシングルクリック、前記クライアントデバイス上のキーを押すこと、および、前記クライアントデバイス上に設けられるタッチパッド上のジェスチャの少なくとも１つから生成されることを特徴とするウェブウィジェット。
【請求項６６】
請求項２１に記載のウェブウィジェットにおいて、前記情報信号は、前記クライアントデバイスと通信可能に結合されたコンピュータマウスのシングルクリック、前記クライアントデバイス上のキーを押すこと、および、前記クライアントデバイス上に設けられるタッチパッド上のジェスチャの少なくとも１つから生成されることを特徴とするウェブウィジェット。
【国際調査報告】
2013540298.tif 000019
2013540298.tif 000020